(57)【要約】      （修正有）【課題】不都合なく、正確な処理時間で処理を進めることができる自動組織染色装置及び自動組織染色方法を提供する。【解決手段】自動組織染色装置１００は、処理流体を供給する供給ヘッド１１と、供給ヘッド１１を水平方向で移動させる水平方向移動部１０と、検体が載置された複数のスライドグラス９０を保持する保持部７と、を備える。自動組織染色装置１００は、一つ以上のスライドグラス９０が第一領域に位置し、第一領域に位置する一つ以上のスライドグラス９０上の検体に対して供給ヘッド１１から処理流体を供給するのに先立ち、水平方向移動部１０の占有状態を判断し、水平方向移動部１０が占有されている場合には、第一領域に位置する一つ以上のスライドグラス９０上の検体に対する処理の開始を保留し、水平方向移動部１０が占有されていない場合には、第一領域に位置する一つ以上のスライドグラス９０上の検体に対する処理を許可する制御部も備える。【選択図】図２
2020106539.tif 000002
【特許請求の範囲】
【請求項１】
処理流体を供給する供給ヘッドと、
前記供給ヘッドを水平方向で移動させる水平方向移動部と、
検体が載置された複数のスライドグラスを保持する保持部と、
一つ以上の前記スライドグラスが第一領域に位置し、前記第一領域に位置する前記一つ以上のスライドグラス上の前記検体に対して前記供給ヘッドから前記処理流体を供給するのに先立ち、前記水平方向移動部の占有状態を判断し、前記水平方向移動部が占有されている場合には、前記第一領域に位置する前記一つ以上のスライドグラス上の前記検体に対する直近の処理の開始を保留し、前記水平方向移動部が占有されていない場合には、前記第一領域に位置する前記一つ以上のスライドグラス上の前記検体に対する直近の処理の開始を許可する制御部と、
を備えたことを特徴とする自動組織染色装置。
【請求項２】
前記複数のスライドグラス上の前記検体を加熱するための加熱部と、
前記加熱部によって加熱された前記検体の温度を測定するための温度測定部と、
前記温度測定部による測定結果に基づいて、前記検体の温度が所定の温度に達したことを判断し、カウントを開始して積算する積算部と、をさらに備え、
前記処理流体は処理液を含み、
前記積算部は、前記処理液を前記複数のスライドグラス上の前記検体に対して継ぎ足す際に前記カウントを停止し、前記処理液を継ぎ足した後であって前記所定の温度となった際に前記カウントを再開することを特徴とする請求項１に記載の自動組織染色装置。
【請求項３】
一つ以上の前記スライドグラスが前記第一領域と異なる第二領域に位置し、
前記制御部は、
前記第一領域に位置する前記一つ以上のスライドグラス上の第一検体に対する処理を開始した場合の前記水平方向移動部の利用予定と、前記第二領域に位置する前記一つ以上のスライドグラス上の第二検体に対する処理での前記水平方向移動部の利用予定とを比較し、前記第一検体に対する処理を開始した場合に前記水平方向移動部を利用する時間と、前記第二検体に対する処理で前記水平方向移動部を利用する時間とが重複するかを判断し、
前記第一検体に対する処理を開始した場合の前記水平方向移動部を利用する時間と前記第二検体に対する処理で前記水平方向移動部を利用する時間とが重複する場合には、重複する時間に行われる前記第一検体に対する処理予定の内容と前記第二検体に対する処理予定の内容とを比較し、前記第一検体に対する処理予定の内容が前記第二検体に対する処理予定の内容よりも優先されるときには前記第一検体に対する前記水平方向移動部を利用する直近の処理の開始を許可し、前記第二検体に対する処理予定の内容が前記第一検体に対する処理予定の内容よりも優先されるときには前記第一検体に対する前記水平方向移動部を利用する直近の処理の開始を保留することを特徴とする請求項１又は２に記載の自動組織染色装置。
【請求項４】
一つ以上の前記スライドグラスが前記第一領域と異なる第二領域に位置し、
前記制御部は、前記第二領域に位置する前記一つ以上のスライドグラス上の第二検体に対する直近の処理を開始できるかを判断し、前記第二検体に対する直近の処理を開始できるときには、前記第一領域に位置する前記一つ以上のスライドグラス上の第一検体に対する直近の処理予定の内容と前記第二検体に対する直近の処理予定の内容とを比較し、前記第一検体に対する直近の処理予定の内容が前記第二検体に対する直近の処理予定の内容よりも優先されるときには前記第一検体に対する前記水平方向移動部を利用する直近の処理の開始を許可し、前記第二検体に対する直近の処理予定の内容が前記第一検体に対する直近の処理予定の内容よりも優先されるときには前記第一検体に対する前記水平方向移動部を利用する直近の処理の開始を保留することを特徴とする請求項１乃至３のいずれか１項に記載の自動組織染色装置。
【請求項５】
前記第一検体に対する前記処理予定の内容が当該第一検体に対する反応を停止させる処理の場合であって前記第二検体に対する前記処理予定の内容が当該第二検体に対する反応を停止させる処理以外の処理である場合には、前記第一検体に対する前記処理予定の内容が前記第二検体に対する前記処理予定の内容よりも優先されることを特徴とする請求項３又は４に記載の自動組織染色装置。
【請求項６】
前記第一検体に対する前記処理予定の内容が当該第一検体に対する反応を停止させる処理以外の処理であり、かつ、前記第二検体に対する前記処理予定の内容が当該第二検体に対する反応を停止させる処理以外の処理の場合であって、前記第一検体に対して前記水平方向移動部を利用して行おうとしている直近の処理が保留された時間が前記第二検体に対して前記水平方向移動部を利用して行おうとしている直近の処理が保留された時間よりも長い場合には、前記第一検体に対する前記処理予定の内容が前記第二検体に対する前記処理予定の内容よりも優先されることを特徴とする請求項３乃至５のいずれか１項に記載の自動組織染色装置。
【請求項７】
前記第一検体に対する前記処理予定の内容が当該第一検体に対する反応を停止させる処理の場合であって前記第二検体に対する前記処理予定の内容が当該第二検体に対する反応を停止させる処理の場合には、停止対象となっている前記第一検体に対して指定する反応時間が停止対象となっている前記第二検体に対して指定する反応時間よりも短いときに、前記第一検体に対する前記処理予定の内容が前記第二検体に対する前記処理予定の内容よりも優先されることを特徴とする請求項６に記載の自動組織染色装置。
【請求項８】
前記第一検体及び前記第二検体が染色法として免疫染色法が指定された検体である場合において、前記第一検体に対する前記処理予定の内容が当該第一検体に対する反応を停止させる処理の場合であって前記第二検体に対する前記処理予定の内容が当該第二検体に対する反応を停止させる処理の場合には、前記第一検体に対する前記処理予定の内容が当該第一検体中の抗原に対する一次抗体の反応を停止させる処理であり前記第二検体に対する前記処理予定の内容が当該第二検体中の抗原に対する一次抗体の反応を停止させる処理以外の処理であるときに、前記第一検体に対する前記処理予定の内容が前記第二検体に対する前記処理予定の内容よりも優先されることを特徴とする請求項６又は７に記載の自動組織染色装置。
【請求項９】
前記制御部は、前記第二検体に対する処理を開始できず、かつ、前記第一検体に対する処理予定において前記水平方向移動部を利用する時間と前記第二検体に対する処理予定において前記水平方向移動部を利用する時間とが重複しない場合に、前記第一検体に対する処理を許可することを特徴とする請求項３乃至８のいずれか１項に記載の自動組織染色装置。
【請求項１０】
複数のレーンをさらに備え、
前記複数のレーンと同数の複数の保持部が設けられ、
前記複数のレーンの各々に前記複数の保持部が設けられ、
前記複数のレーンのうちのあるレーンが前記第一領域に対応し、当該第一領域に対応するレーンと異なる他のレーンが前記第二領域に対応することを特徴とする請求項３乃至９のいずれか１項に記載の自動組織染色装置。
【請求項１１】
前記制御部は、複数の領域の各々に作成される統合工程シークェンスであって当該複数の領域の各々での複数の検体に対する一連の処理工程を含む統合工程シークェンスにおける現時点以降の処理予定を相互に比較することで、前記複数の領域のうちのある領域に位置する複数の第一検体に対する処理を開始した場合の前記水平方向移動部の利用予定と、他の領域に位置する複数の第二検体に対する処理での前記水平方向移動部の利用予定とを比較し、前記複数の第一検体に対する処理を開始した場合の前記水平方向移動部を利用する時間と、前記複数の第二検体に対する処理で前記水平方向移動部を利用する時間とが重複するかを判断することを特徴とする請求項３乃至１０のいずれか１項に記載の自動組織染色装置。
【請求項１２】
前記統合工程シークェンスは、前記複数の領域の各々において、前記複数の検体の各々に対して行われる複数の処理工程を含む個別工程シークェンスを相互に比較し、当該複数の領域の各々の複数の前記検体に対して同じ内容の処理工程を連続して行うようにして作成されることを特徴とする請求項１１に記載の自動組織染色装置。
【請求項１３】
前記統合工程シークェンスは、連続して行われる前記同じ内容の処理工程において、各検体に対して供給される前記処理流体に含まれる処理液の内容を比較し、同じ処理液を利用する検体に連続的に前記処理液を供給するようにして作成されることを特徴とする請求項１２に記載の自動組織染色装置。
【請求項１４】
前記統合工程シークェンスは、連続して行われる前記同じ内容の処理工程において、反応時間の短い検体と比較して、反応時間の長い検体に対して先に前記処理流体に含まれる処理液を供給するようにして作成されることを特徴とする請求項１２又は１３のいずれかに記載の自動組織染色装置。
【請求項１５】
前記複数のスライドグラス上の前記検体を加熱するための加熱部と、
前記加熱部によって加熱された前記検体の温度を測定するための温度測定部と、をさらに備え、
前記統合工程シークェンスは、連続して行われる前記同じ内容の処理工程において、反応温度が低い検体と比較して、反応温度が高い検体に対して先に前記処理流体に含まれる処理液を供給するようにして作成されることを特徴とする請求項１２乃至１４のいずれか１項に記載の自動組織染色装置。
【請求項１６】
処理流体を供給する供給ヘッドと、
検体が載置された複数のスライドグラスを保持する保持部と、
前記複数のスライドグラス上の各検体に対して行われる検査法の属性を相互に比較して各検体に対して行われる検査法が相互に同じ属性に属するか否かを判断し、ある検体に対して行われる検査法と別の検体に対して行われる検査法の属性が異なる場合には、前記保持部で保持された前記複数のスライドグラス上の検体に対して同じ属性の検査法が行われるように、前記保持部から取り除かれるべき一つ以上のスライドグラスを特定する制御部と、
前記制御部で取り除かれるべきであると特定された前記一つ以上のスライドグラスを報知する報知部と、
を備えたことを特徴とする自動組織染色装置。
【請求項１７】
複数のレーンをさらに備え、
前記複数のレーンと同数の複数の保持部が設けられ、
前記複数のレーンの各々に前記複数の保持部が設けられ、
前記制御部は、前記複数のレーンのうちのあるレーンの前記保持部で保持された全てのスライドグラス上の検体に対して同じ属性の検査法が行われるように、当該保持部から取り除かれるべき前記一つ以上のスライドグラスを特定することを特徴とする請求項１６に記載の自動組織染色装置。
【請求項１８】
前記報知部は、取り除かれるべきであると特定された前記一つ以上のスライドグラスを載置するべき別のレーンを報知することを特徴とする請求項１７に記載の自動組織染色装置。
【請求項１９】
処理流体を供給する供給ヘッドと、
検体が載置された複数のスライドグラスを保持する保持部と、
各検体に対して行われる複数の処理工程を含む個別工程シークェンスを相互に比較し、複数の前記検体に対して同じ内容の処理工程を連続して行うように制御する制御部と、
を備えたことを特徴とする自動組織染色装置。
【請求項２０】
前記供給ヘッドを水平方向で移動させる水平方向移動部をさらに備え、
一つ以上の前記スライドグラスが第一領域に位置し、
一つ以上の前記スライドグラスが前記第一領域と異なる第二領域に位置し、
前記制御部は、
前記第一領域に位置する前記一つ以上のスライドグラス上の第一検体に対する処理での前記水平方向移動部の利用予定と、前記第二領域に位置する前記一つ以上のスライドグラス上の第二検体に対する処理での前記水平方向移動部の利用予定とを比較し、前記第一検体に対する処理で前記水平方向移動部を利用する時間と、前記第二検体に対する処理で前記水平方向移動部を利用する時間とが重複するかを判断し、
前記第一検体に対する処理で前記水平方向移動部を利用する時間と前記第二検体に対する処理で前記水平方向移動部を利用する時間とが重複する場合には、重複する時間に行われる前記第一検体に対する処理予定の内容と前記第二検体に対する処理予定の内容とを比較し、前記第一検体に対する処理予定の内容が前記第二検体に対する処理予定の内容よりも優先されるときには前記第一検体に対する前記水平方向移動部を利用する直近の処理の開始を許可し、前記第二検体に対する処理予定の内容が前記第一検体に対する処理予定の内容よりも優先されるときには前記第一検体に対する前記水平方向移動部を利用する直近の処理の開始を保留することを特徴とする請求項１９に記載の自動組織染色装置。
【請求項２１】
前記供給ヘッドを水平方向で移動させる水平方向移動部をさらに備え、
一つ以上の前記スライドグラスが第一領域に位置し、
一つ以上の前記スライドグラスが前記第一領域と異なる第二領域に位置し、
前記制御部は、前記第二領域に位置する前記一つ以上のスライドグラス上の第二検体に対する直近の処理を開始できるかを判断し、前記第二検体に対する直近の処理を開始できるときには、前記第一領域に位置する前記一つ以上のスライドグラス上の第一検体に対する処理予定の内容と前記第二検体に対する処理予定の内容とを比較し、前記第一検体に対する処理予定の内容が前記第二検体に対する処理予定の内容よりも優先されるときには前記第一検体に対する前記水平方向移動部を利用する直近の処理の開始を許可し、前記第二検体に対する処理予定の内容が前記第一検体に対する処理予定の内容よりも優先されるときには前記第一検体に対する前記水平方向移動部を利用する直近の処理の開始を保留することを特徴とする請求項１９又は２０に記載の自動組織染色装置。
【請求項２２】
処理液を供給する供給ヘッドと、
検体が載置された複数のスライドグラスを保持する保持部と、
前記処理液を貯留する複数の貯留部と、
前記複数の貯留部の各々に対応して設けられ、前記複数の貯留部の各々から供給される前記処理液を案内する複数の案内管と、
前記複数の貯留部から前記複数の案内管内に前記処理液を送り出す送液部と、
を備え、
前記供給ヘッドは、
前記複数の案内管の各々によって案内された前記処理液を前記複数のスライドグラスの各々の上の前記検体に吐出するノズルと、
前記複数の案内管の各々の吐出側端部と前記ノズルとの間に設けられ、前記処理液の各案内管内への逆流を防止するための複数の逆止弁と、
を有することを特徴とする自動組織染色装置。
【請求項２３】
処理流体を供給する供給ヘッドと、前記供給ヘッドを水平方向で移動させる水平方向移動部と、検体が載置された複数のスライドグラスを保持する保持部と、を備えた自動組織染色装置を用いた自動組織染色方法であって、
一つ以上の前記スライドグラスが第一領域に位置し、前記第一領域に位置する前記一つ以上のスライドグラス上の前記検体に対して前記供給ヘッドから前記処理流体を供給するのに先立ち、前記水平方向移動部の占有状態を判断することと、
前記水平方向移動部が占有されている場合には、前記第一領域に位置する前記一つ以上のスライドグラス上の前記検体に対する直近の処理の開始を保留し、前記水平方向移動部が占有されていない場合には、前記第一領域に位置する前記一つ以上のスライドグラス上の前記検体に対する直近の処理の開始を許可することと、
を備えたことを特徴とする自動組織染色方法。
【発明の詳細な説明】
【技術分野】
【０００１】
本発明は、生物組織を染色するための自動組織染色装置及び自動組織染色方法に関する。
【背景技術】
【０００２】
従来から、自動化された組織検査装置が知られている。この点、特許文献１には、生物細胞を試験する装置をスケジューリングする方法が開示されている。そして、この特許文献１では、スライドに対して処理を行う際にロボットアームが使用される時間が重ならないように、予めスケジュールを生成することが開示されている。つまり、特許文献１に開示された方法は、検出処理開始から終了に至るまでの一連のスケジュールを最初に設定し、その後は、新規のスライド追加がない限り、当該スケジュールに従ってひたすら装置を運転していく態様となっている。
【先行技術文献】
【特許文献】
【０００３】
【特許文献１】米国特許第８３１５８９９号明細書
【発明の概要】
【発明が解決しようとする課題】
【０００４】
しかしながら、検体の温度を上昇したり冷却したりする際に、検体が所定の温度に達するのに予定していた時間よりも余分に時間がかかってしまったり、予定していた時間よりも短時間で済んだりすることがある。この点、特許文献１に開示された態様では、あくまでも当初の予定にしたがって装置が運転されるので、予定されていたスケジュールからのズレを無視して作業を行うこととなる。この結果、特許文献１に開示された態様では、しばしば、検体に対する反応の不良やムラが生じることとなっていた。
【０００５】
本発明は、このような点を鑑みてなされたものであり、不都合なく、正確な処理時間で処理を進めることができる自動組織染色装置及び自動組織染色方法を提供する。
【課題を解決するための手段】
【０００６】
本発明の第一の態様による自動組織染色装置は、
処理流体を供給する供給ヘッドと、
前記供給ヘッドを水平方向で移動させる水平方向移動部と、
検体が載置された複数のスライドグラスを保持する保持部と、
一つ以上の前記スライドグラスが第一領域に位置し、前記第一領域に位置する前記一つ以上のスライドグラス上の前記検体に対して前記供給ヘッドから前記処理流体を供給するのに先立ち、前記水平方向移動部の占有状態を判断し、前記水平方向移動部が占有されている場合には、前記第一領域に位置する前記一つ以上のスライドグラス上の前記検体に対する直近の処理の開始を保留し、前記水平方向移動部が占有されていない場合には、前記第一領域に位置する前記一つ以上のスライドグラス上の前記検体に対する直近の処理の開始を許可する制御部と、
を備える。
【０００７】
本発明の第一の態様による自動組織染色装置は、
前記複数のスライドグラス上の前記検体を加熱するための加熱部と、
前記加熱部によって加熱された前記検体の温度を測定するための温度測定部と、
前記温度測定部による測定結果に基づいて、前記検体の温度が所定の温度に達したことを判断し、カウントを開始して積算する積算部と、をさらに備え、
前記処理流体は処理液を含み、
前記積算部は、前記処理液を前記複数のスライドグラス上の前記検体に対して継ぎ足す際に前記カウントを停止し、前記処理液を継ぎ足した後であって前記所定の温度となった際に前記カウントを再開してもよい。
【０００８】
本発明の第一の態様による自動組織染色装置において、
一つ以上の前記スライドグラスが前記第一領域と異なる第二領域に位置し、
前記制御部は、
前記第一領域に位置する前記一つ以上のスライドグラス上の第一検体に対する処理を開始した場合の前記水平方向移動部の利用予定と、前記第二領域に位置する前記一つ以上のスライドグラス上の第二検体に対する処理での前記水平方向移動部の利用予定とを比較し、前記第一検体に対する処理を開始した場合に前記水平方向移動部を利用する時間と、前記第二検体に対する処理で前記水平方向移動部を利用する時間とが重複するかを判断し、
前記第一検体に対する処理を開始した場合の前記水平方向移動部を利用する時間と前記第二検体に対する処理で前記水平方向移動部を利用する時間とが重複する場合には、重複する時間に行われる前記第一検体に対する処理予定の内容と前記第二検体に対する処理予定の内容とを比較し、前記第一検体に対する処理予定の内容が前記第二検体に対する処理予定の内容よりも優先されるときには前記第一検体に対する前記水平方向移動部を利用する直近の処理の開始を許可し、前記第二検体に対する処理予定の内容が前記第一検体に対する処理予定の内容よりも優先されるときには前記第一検体に対する前記水平方向移動部を利用する直近の処理の開始を保留してもよい。
【０００９】
本発明の第一の態様による自動組織染色装置において、
一つ以上の前記スライドグラスが前記第一領域と異なる第二領域に位置し、
前記制御部は、前記第二領域に位置する前記一つ以上のスライドグラス上の第二検体に対する直近の処理を開始できるかを判断し、前記第二検体に対する直近の処理を開始できるときには、前記第一領域に位置する前記一つ以上のスライドグラス上の第一検体に対する直近の処理予定の内容と前記第二検体に対する直近の処理予定の内容とを比較し、前記第一検体に対する直近の処理予定の内容が前記第二検体に対する直近の処理予定の内容よりも優先されるときには前記第一検体に対する前記水平方向移動部を利用する直近の処理の開始を許可し、前記第二検体に対する直近の処理予定の内容が前記第一検体に対する直近の処理予定の内容よりも優先されるときには前記第一検体に対する前記水平方向移動部を利用する直近の処理の開始を保留してもよい。
【００１０】
本発明の第一の態様による自動組織染色装置において、
前記第一検体に対する前記処理予定の内容が当該第一検体に対する反応を停止させる処理の場合であって前記第二検体に対する前記処理予定の内容が当該第二検体に対する反応を停止させる処理以外の処理である場合には、前記第一検体に対する前記処理予定の内容が前記第二検体に対する前記処理予定の内容よりも優先されてもよい。
【００１１】
本発明の第一の態様による自動組織染色装置において、
前記第一検体に対する前記処理予定の内容が当該第一検体に対する反応を停止させる処理以外の処理であり、かつ、前記第二検体に対する前記処理予定の内容が当該第二検体に対する反応を停止させる処理以外の処理の場合であって、前記第一検体に対して前記水平方向移動部を利用して行おうとしている直近の処理が保留された時間が前記第二検体に対して前記水平方向移動部を利用して行おうとしている直近の処理が保留された時間よりも長い場合には、前記第一検体に対する前記処理予定の内容が前記第二検体に対する前記処理予定の内容よりも優先されてもよい。
【００１２】
本発明の第一の態様による自動組織染色装置において、
前記第一検体に対する前記処理予定の内容が当該第一検体に対する反応を停止させる処理の場合であって前記第二検体に対する前記処理予定の内容が当該第二検体に対する反応を停止させる処理の場合には、停止対象となっている前記第一検体に対して指定する反応時間が停止対象となっている前記第二検体に対して指定する反応時間よりも短いときに、前記第一検体に対する前記処理予定の内容が前記第二検体に対する前記処理予定の内容よりも優先されてもよい。
【００１３】
本発明の第一の態様による自動組織染色装置において、
前記第一検体及び前記第二検体が染色法として免疫染色法が指定された検体である場合において、前記第一検体に対する前記処理予定の内容が当該第一検体に対する反応を停止させる処理の場合であって前記第二検体に対する前記処理予定の内容が当該第二検体に対する反応を停止させる処理の場合には、前記第一検体に対する前記処理予定の内容が当該第一検体中の抗原に対する一次抗体の反応を停止させる処理であり前記第二検体に対する前記処理予定の内容が当該第二検体中の抗原に対する一次抗体の反応を停止させる処理以外の処理であるときに、前記第一検体に対する前記処理予定の内容が前記第二検体に対する前記処理予定の内容よりも優先されてもよい。
【００１４】
本発明の第一の態様による自動組織染色装置において、
前記制御部は、前記第二検体に対する処理を開始できず、かつ、前記第一検体に対する処理予定において前記水平方向移動部を利用する時間と前記第二検体に対する処理予定において前記水平方向移動部を利用する時間とが重複しない場合に、前記第一検体に対する処理を許可してもよい。
【００１５】
本発明の第一の態様による自動組織染色装置は、
複数のレーンをさらに備え、
前記複数のレーンと同数の複数の保持部が設けられ、
前記複数のレーンの各々に前記複数の保持部が設けられ、
前記複数のレーンのうちのあるレーンが前記第一領域に対応し、当該第一領域に対応するレーンと異なる他のレーンが前記第二領域に対応してもよい。
【００１６】
本発明の第一の態様による自動組織染色装置において、
前記制御部は、複数の領域の各々に作成される統合工程シークェンスであって当該複数の領域の各々での複数の検体に対する一連の処理工程を含む統合工程シークェンスにおける現時点以降の処理予定を相互に比較することで、前記複数の領域のうちのある領域に位置する複数の第一検体に対する処理を開始した場合の前記水平方向移動部の利用予定と、他の領域に位置する複数の第二検体に対する処理での前記水平方向移動部の利用予定とを比較し、前記複数の第一検体に対する処理を開始した場合の前記水平方向移動部を利用する時間と、前記複数の第二検体に対する処理で前記水平方向移動部を利用する時間とが重複するかを判断してもよい。
【００１７】
本発明の第一の態様による自動組織染色装置において、
前記統合工程シークェンスは、前記複数の領域の各々において、前記複数の検体の各々に対して行われる複数の処理工程を含む個別工程シークェンスを相互に比較し、当該複数の領域の各々の複数の前記検体に対して同じ内容の処理工程を連続して行うようにして作成されてもよい。
【００１８】
本発明の第一の態様による自動組織染色装置において、
前記統合工程シークェンスは、連続して行われる前記同じ内容の処理工程において、各検体に対して供給される前記処理流体に含まれる処理液の内容を比較し、同じ処理液を利用する検体に連続的に前記処理液を供給するようにして作成されてもよい。
【００１９】
本発明の第一の態様による自動組織染色装置において、
前記統合工程シークェンスは、連続して行われる前記同じ内容の処理工程において、反応時間の短い検体と比較して、反応時間の長い検体に対して先に前記処理流体に含まれる処理液を供給するようにして作成されてもよい。
【００２０】
本発明の第一の態様による自動組織染色装置は、
前記複数のスライドグラス上の前記検体を加熱するための加熱部と、
前記加熱部によって加熱された前記検体の温度を測定するための温度測定部と、をさらに備え、
前記統合工程シークェンスが、連続して行われる前記同じ内容の処理工程において、反応温度が低い検体と比較して、反応温度が高い検体に対して先に前記処理流体に含まれる処理液を供給するようにして作成されてもよい。
【００２１】
本発明の第二の態様による自動組織染色装置は、
処理流体を供給する供給ヘッドと、
検体が載置された複数のスライドグラスを保持する保持部と、
前記複数のスライドグラス上の各検体に対して行われる検査法の属性を相互に比較して各検体に対して行われる検査法が相互に同じ属性に属するか否かを判断し、ある検体に対して行われる検査法と別の検体に対して行われる検査法の属性が異なる場合には、前記保持部で保持された前記複数のスライドグラス上の検体に対して同じ属性の検査法が行われるように、前記保持部から取り除かれるべき一つ以上のスライドグラスを特定する制御部と、
前記制御部で取り除かれるべきであると特定された前記一つ以上のスライドグラスを報知する報知部と、
を備える。
【００２２】
本発明の第二の態様による自動組織染色装置は、
複数のレーンをさらに備え、
前記複数のレーンと同数の複数の保持部が設けられ、
前記複数のレーンの各々に前記複数の保持部が設けられ、
前記制御部は、前記複数のレーンのうちのあるレーンの前記保持部で保持された全てのスライドグラス上の検体に対して同じ属性の検査法が行われるように、当該保持部から取り除かれるべき前記一つ以上のスライドグラスを特定してもよい。
【００２３】
本発明の第二の態様による自動組織染色装置において、
前記報知部は、取り除かれるべきであると特定された前記一つ以上のスライドグラスを載置するべき別のレーンを報知してもよい。
【００２４】
本発明の第三の態様による自動組織染色装置は、
処理流体を供給する供給ヘッドと、
検体が載置された複数のスライドグラスを保持する保持部と、
各検体に対して行われる複数の処理工程を含む個別工程シークェンスを相互に比較し、複数の前記検体に対して同じ内容の処理工程を連続して行うように制御する制御部と、
を備える。
【００２５】
本発明の第三の態様による自動組織染色装置は、
前記供給ヘッドを水平方向で移動させる水平方向移動部をさらに備え、
一つ以上の前記スライドグラスが第一領域に位置し、
一つ以上の前記スライドグラスが前記第一領域と異なる第二領域に位置し、
前記制御部は、
前記第一領域に位置する前記一つ以上のスライドグラス上の第一検体に対する処理での前記水平方向移動部の利用予定と、前記第二領域に位置する前記一つ以上のスライドグラス上の第二検体に対する処理での前記水平方向移動部の利用予定とを比較し、前記第一検体に対する処理で前記水平方向移動部を利用する時間と、前記第二検体に対する処理で前記水平方向移動部を利用する時間とが重複するかを判断し、
前記第一検体に対する処理で前記水平方向移動部を利用する時間と前記第二検体に対する処理で前記水平方向移動部を利用する時間とが重複する場合には、重複する時間に行われる前記第一検体に対する処理予定の内容と前記第二検体に対する処理予定の内容とを比較し、前記第一検体に対する処理予定の内容が前記第二検体に対する処理予定の内容よりも優先されるときには前記第一検体に対する前記水平方向移動部を利用する直近の処理の開始を許可し、前記第二検体に対する処理予定の内容が前記第一検体に対する処理予定の内容よりも優先されるときには前記第一検体に対する前記水平方向移動部を利用する直近の処理の開始を保留してもよい。
【００２６】
本発明の第三の態様による自動組織染色装置は、
前記供給ヘッドを水平方向で移動させる水平方向移動部をさらに備え、
一つ以上の前記スライドグラスが第一領域に位置し、
一つ以上の前記スライドグラスが前記第一領域と異なる第二領域に位置し、
前記制御部は、前記第二領域に位置する前記一つ以上のスライドグラス上の第二検体に対する直近の処理を開始できるかを判断し、前記第二検体に対する直近の処理を開始できるときには、前記第一領域に位置する前記一つ以上のスライドグラス上の第一検体に対する処理予定の内容と前記第二検体に対する処理予定の内容とを比較し、前記第一検体に対する処理予定の内容が前記第二検体に対する処理予定の内容よりも優先されるときには前記第一検体に対する前記水平方向移動部を利用する直近の処理の開始を許可し、前記第二検体に対する処理予定の内容が前記第一検体に対する処理予定の内容よりも優先されるときには前記第一検体に対する前記水平方向移動部を利用する直近の処理の開始を保留してもよい。
【００２７】
本発明の第四の態様による自動組織染色装置は、
処理液を供給する供給ヘッドと、
検体が載置された複数のスライドグラスを保持する保持部と、
前記処理液を貯留する複数の貯留部と、
前記複数の貯留部の各々に対応して設けられ、前記複数の貯留部の各々から供給される前記処理液を案内する複数の案内管と、
前記複数の貯留部から前記複数の案内管内に前記処理液を送り出す送液部と、
を備え、
前記供給ヘッドは、
前記複数の案内管の各々によって案内された前記処理液を前記複数のスライドグラスの各々の上の前記検体に吐出するノズルと、
前記複数の案内管の各々の吐出側端部と前記ノズルとの間に設けられ、前記処理液の各案内管内への逆流を防止するための複数の逆止弁と、
を有する。
【００２８】
本発明の第五の態様による自動組織染色方法は、
処理流体を供給する供給ヘッドと、前記供給ヘッドを水平方向で移動させる水平方向移動部と、検体が載置された複数のスライドグラスを保持する保持部と、を備えた自動組織染色装置を用いた自動組織染色方法であって、
一つ以上の前記スライドグラスが第一領域に位置し、前記第一領域に位置する前記一つ以上のスライドグラス上の前記検体に対して前記供給ヘッドから前記処理流体を供給するのに先立ち、前記水平方向移動部の占有状態を判断することと、
前記水平方向移動部が占有されている場合には、前記第一領域に位置する前記一つ以上のスライドグラス上の前記検体に対する直近の処理の開始を保留し、前記水平方向移動部が占有されていない場合には、前記第一領域に位置する前記一つ以上のスライドグラス上の前記検体に対する直近の処理の開始を許可することと、
を備える。
【発明の効果】
【００２９】
本発明によれば、処理を行おうとしている第一領域に位置するスライドグラス上の検体に対して供給ヘッドから処理流体を供給するのに先立ち、水平方向移動部の占有状態を判断し、水平方向移動部が占有されているときには、第一領域に位置するスライドグラス上の検体に対する処理の開始を保留し、水平方向移動部が占有されていない場合に、第一領域に位置するスライドグラス上の検体に対する処理を許可する。このため、本発明によれば、水平方向移動部の利用状況をリアルタイムで把握しつつ、極力、正確な処理時間で処理を進めることができる。
【図面の簡単な説明】
【００３０】
【図１】図１は、本発明の実施の形態による自動組織染色装置を正面から見た概略正面図である。
【図２】図２は、本発明の実施の形態による自動組織染色装置の筐体内に収容された供給ヘッド、水平方向移動部、加熱部、及びカバー等を示した斜視図である。
【図３】図３は、本発明の実施の形態による自動組織染色装置の接続態様を示したブロック図である。
【図４】図４は、本発明の実施の形態による自動組織染色装置内のデータベース等を示した概略図である。
【図５】図５は、本発明の実施の形態による自動組織染色装置のレーン及び弾性部材等を示した概略上方平面図である。
【図６】図６は、本発明の実施の形態による自動組織染色装置の供給ヘッドを示した概略正面図である。
【図７】図７は、本発明の実施の形態による自動組織染色装置の貯留部及び逆止弁等を示した概略図である。
【図８】図８は、本発明の実施の形態による自動組織染色装置で作成される統合工程シークェンスの一部分（加熱による抗原賦活化処理工程の一部に相当する部分）の一例を示した図である。
【図９Ａ】図９Ａは、図８に示された統合工程シークェンスの一部分を仕掛工程と停止工程に分けて示した図である。
【図９Ｂ】図９Ｂは、本発明の実施の形態による自動組織染色装置で作成される統合工程シークェンスの一部分（酵素を用いた抗原賦活化処理工程の一部に相当する部分）の一例を示した図である。
【図１０Ａ】図１０Ａは、本発明の実施の形態による自動組織染色装置で比較される水平方向移動部の利用態様及び利用予定の一例を示した図である。
【図１０Ｂ】図１０Ｂは図１０Ａに対応する図面であり、図１０Ａに示した時点からわずかに経過した時点でレーン（２）の検体を第一検体とした際の図面である。
【図１０Ｃ】図１０Ｃは図１０Ａに対応する図面であり、図１０Ｂに示した時点からわずかに経過した時点でレーン（３）の検体を第一検体とした際の図面である。
【図１０Ｄ】図１０Ｄは図１０Ａに対応する図面であり、図１０Ｃに示した時点から一定時間経過した際の利用予定を示した図である。
【図１１】図１１は、本発明の実施の形態による自動組織染色装置で統合工程シークェンスを作成する態様を説明するための図である。
【図１２】図１２は、本発明の実施の形態による自動組織染色装置で、新しいスライドグラスをレーンに設置した際の処理を説明するためのフローチャートである。
【図１３】図１３は、本発明の実施の形態による自動組織染色装置を用いた自動組織染色方法を説明するためのフローチャートである。
【発明を実施するための形態】
【００３１】
実施の形態
《構成》
以下、本発明に係る自動組織染色装置及び自動組織染色方法の実施の形態について、図面を参照して説明する。ここで、図１乃至図１３は本発明の実施の形態を説明するための図である。
【００３２】
本実施の形態の自動組織染色装置１００は、図１に示すように、複数の開閉扉１ａを有する筐体１と、筐体１に対して前方側に引き出し自在となった複数（本実施の形態では３つ）のドロワー５と、を備えている。上述した筐体１の上段の開閉扉１ａの内方には、図２に示すように、処理流体を供給する供給ヘッド１１と、筐体１内で供給ヘッド１１を水平方向で移動させる直交ロボット等の水平方向移動部１０とが設置されている。また、上述したドロワー５の各々には、図５に示すように、レーン６が設置され、このレーン６の各々にはトレー等からなる保持部７が設置されている。すなわち、複数のレーン６と同数の複数の保持部７であって、複数のレーン６の各々に設置される複数の保持部７が設けられる。そして、レーン６は、載置された保持部７に対して下方から弾性力を付与する複数のバネ等の弾性部材６ａを有している。本実施の形態では、３つのレーン６と３つの保持部７が設けられ、図２に示すように、保持部７の各々は、検体が載置された複数（本実施の形態では１２個）のスライドグラス９０を保持することができるようになっている。
【００３３】
図２に示すように、自動組織染色装置１００は、各スライドグラス９０を加熱することで当該スライドグラス９０上の検体を加熱するための加熱部２０と、加熱部２０によって加熱された検体の温度を測定するための温度測定部２１と、を備えている。本実施の形態では、加熱部２０内に温度センサ等の温度測定部２１が内蔵されており、当該温度測定部２１によって温度を測定することでスライドグラス９０上の検体の温度を間接的に測定するようになっている。
【００３４】
図１に示す筐体１の中段及び下段の開閉扉１ａの内方には、処理液を貯留する貯留部７０ａ−７０ｇ（後述する）及び廃液を収容する廃液部（図示せず）が載置されている。
【００３５】
ところで、本実施の形態において、「処理流体」とは処理液と処理気体の両方を意味している。また、本実施の形態において、「検体」は、主にスライドグラス９０に付着した生物組織の薄切片や培養細胞等を意味する。本実施の形態では、検体表面の特定の抗原の存在する箇所のみを染色する、公知の免疫染色法を染色法に指定した検体がある場合について説明する。免疫染色法においては、パラフィン等に包埋した組織をミクロトーム等により薄切し、組織断面を露出させた組織薄片をスライドグラス上に貼り付けて検体とする。本実施形態において「一次抗体」は前記特定の抗原に結合させる抗体（もしくはかかる抗体を含む検出試薬）を意味し、「二次抗体」は一次抗体に結合させる抗体と酵素等とをポリマーに標識した試薬を意味する。検体表面の抗原の現れていない部分は、一次抗体が結合せず、二次抗体も結合しないため、二次抗体に標識してある酵素等をＤＡＢ（ジアミノベンジジン）反応等で発色させても、染色がされない結果となる。これにより、抗原を含んでいない検体を陰性と判定することもできる。なお、本願の「検体」には、上述した生物組織の薄切片や培養細胞等だけではなく、これら生物組織の薄切片や培養細胞等に「一次抗体」及び「一次抗体及び二次抗体」等の抗体が結合されたものも含まれる。
【００３６】
図２に示すように、自動組織染色装置１００は、筐体１内で試薬の入れられた複数の試薬容器９１を保持することができる試薬容器スタンド４も備えている。本実施の形態では、３つの試薬容器スタンド４が設けられており、各試薬容器スタンド４は筐体１に対して前方側に引き出し自在となった３つのドロワー３（図１参照）上に載置されている。
【００３７】
また、図１に示すように、筐体１の前方側の外面には操作監視用装置４０が設置されている。図３に示すように、この操作監視用装置４０は、様々な情報を記憶する記憶部４１と、様々な情報を表示する表示部４２と、オペレータからの操作入力を受け付ける操作部４３と、演算処理を行う演算部４４と、を有している。なお、操作監視用装置４０がタッチパネルとなっているときには、表示部４２及び操作部４３は一つのタッチパネルから構成されることとなる。操作監視用装置４０は、接続インターフェース４５を介して、自動組織染色装置１００の全体を制御する主制御部５０に接続されている。この主制御部５０は、後述する、水平方向移動制御部５１、ニードル制御部５２、超音波制御部５３、加熱制御部５４、読取センサ７８、エアブロー・給液制御部５５、噴水洗浄部２６の電磁弁類５６、及びカバー開閉エアシリンダ５７等に接続されており、これらを制御するようになっている。
【００３８】
記憶部４１には、図４に示す、各検査法とその操作手順が「検査法コード」と関連づけて登録されている検査手順データベース８１と、操作手順を構成するための、各操作単位とその各操作単位の内容が記録されている操作単位データベース８２と、各操作単位に指定するための各試薬が、「試薬コード」と関連づけて登録されている試薬データベース８３と、「試薬容器コード」と収納された試薬コードとが関連づけて登録され、（異常検知等の目的で）収納量や期日等も記録されている試薬容器管理台帳マスタ８４と、操作手順の「属性」を記録した操作手順属性データベース８５と、検査手順データベース８１及び操作手順属性データベース８５の各々に接続された中間データベース８８とが記憶されている。また、記憶部４１は、一時的な情報として、保持部７で保持された各スライドグラス９０のレーン６における位置毎に、当該スライドグラス９０で行う検査法の検査コード等を保存するスライドグラス位置管理台帳マスタ８６と、各レーン６内の検体の検査法をもとに生成され、当該レーン６で実施される一連の処理（後述する統合工程シークェンス）を保存する工程シークェンス台帳マスタ８７と、試薬容器スタンド４で保持された各試薬容器９１のドロワー３における位置毎に、試薬容器９１の試薬容器コードを保存する試薬容器位置管理台帳マスタ８９とを更に記憶している。
【００３９】
そして、操作単位データベース８２は操作手順属性データベース８５と情報のやりとりを行い、検査手順データベース８１は中間データベース８８を介して操作手順属性データベース８５と情報のやりとりを行うとともに試薬データベース８３と情報のやりとりを行い、スライドグラス位置管理台帳マスタ８６は検査手順データベース８１及び試薬容器位置管理台帳マスタ８９と情報のやりとりを行い、工程シークェンス台帳マスタ８７は検査手順データベース８１と情報のやりとりを行う。また、試薬データベース８３は試薬容器管理台帳マスタ８４とも情報のやりとりを行い、スライドグラス位置管理台帳マスタ８６は工程シークェンス台帳マスタ８７とも情報のやりとりを行う。なお、操作監視用装置４０には図示しないバーコードリーダが接続されており、このバーコードリーダで試薬容器９１に貼り付けられた二次元バーコード等を読み取ることで、当該試薬容器９１の試薬容器コードと、当該試薬容器９１に収容された試薬の試薬コード等の情報を試薬容器管理台帳マスタ８４に登録できるようになっている。また、試薬データベース８３に登録済みでない新規の試薬についても、当該新規の試薬に該当する二次元バーコードを読み取ることで、当該新規の試薬の試薬コード及びその他の当該試薬に関する情報を、試薬データベース８３に登録できるようになっている。
【００４０】
図３に示すように、水平方向移動部１０は、筐体１の幅方向（図１の左右方向）に供給ヘッド１１を移動させるためのＸ軸モーター１０ａと、筐体１の奥行き方向（図１の紙面の法線方向）に供給ヘッド１１を移動させるためのＹ軸モーター１０ｂと、これらＸ軸モーター１０ａ及びＹ軸モーター１０ｂを制御する水平方向移動制御部５１と、を有している。また、本実施の形態の自動組織染色装置１００は、各温度測定部２１からの測定結果に基づいて各加熱部２０を制御するための加熱制御部５４も備えている。
【００４１】
本実施の形態の自動組織染色装置１００は、処理流体を供給する供給部を備えている。この供給部は、図７（ａ）及び図７（ｂ）に示すように、処理液を貯留する複数（本実施の形態では７つ）の貯留部７０ａ−７０ｇと、各貯留部７０ａ−７０ｇに対応して設けられ、各貯留部７０ａ−７０ｇから供給される処理液を案内する案内管７１ａ−７１ｇと、各貯留部７０ａ−７０ｇから案内管７１ａ−７１ｇ内に処理液を送り出す送液部７２ａ−７２ｇと、各案内管７１ａ−７１ｇによって案内された処理液をスライドグラス９０上の検体に吐出する給液ノズル７５ａ，７５ｂを有する供給ヘッド１１と、各案内管７１ａ−７１ｇの吐出側端部と給液ノズル７５ａ，７５ｂとの間に設けられ、処理液の各案内管７１ａ−７１ｇ内への逆流を防止するための逆止弁７４ａ−７４ｇと、を有している。
【００４２】
上述した貯留部７０ａ−７０ｇは、有機溶媒を収容する複数（本実施の形態では２つ）の有機溶媒貯留部７０ｆ，７０ｇ（図７（ｂ）参照）と、バッファ液を収容する複数（本実施の形態では５つ）のバッファ液貯留部７０ａ−７０ｅ（図７（ａ）参照）とを有している。そして、各有機溶媒貯留部７０ｆ，７０ｇでは互いに異なる有機溶媒が貯留され、同様に、各バッファ液貯留部７０ａ−７０ｅでは互いに異なるバッファ液が貯留されている。上述した送液部７２ａ−７２ｇは、バッファ液貯留部７０ａ−７０ｅからバッファ液を送り出すバッファ液給液ポンプ７２ａ−７２ｅと、有機溶媒貯留部７０ｆ，７０ｇから有機溶媒を送り出す有機溶媒給液ポンプ７２ｆ，７２ｇとを有している（図３参照）。ちなみに、有機溶媒のうちの一つはエタノール等のアルコールである。なお、本実施の形態では、主としてバッファ液を用いるものとして説明するが、これに限られることはなく、バッファ液の代わりに純水等の水を用いることもできる。このように水を用いる場合には、複数のバッファ液貯留部７０ａ−７０ｅのうちのいずれか１つ以上に水が収容されることとなる。
【００４３】
図６に示すように、上述した給液ノズル７５ａ，７５ｂは、有機溶媒をスライドグラス９０上の検体に供給する有機溶媒ノズル７５ｂと、バッファ液もしくは水をスライドグラス９０上の検体に供給するバッファ液ノズル７５ａとを有している。なお、供給ヘッド１１は、このような給液ノズル７５ａ，７５ｂ以外にもスライドグラス９０上の検体に気体を供給するブローノズル７５ｃ，７５ｄを有している。そして、給液ノズル７５ａ，７５ｂ及びブローノズル７５ｃ，７５ｄによって、ノズル７５ａ−７５ｄが構成されている。
【００４４】
ちなみに、図７（ａ）は図６のバッファ液ノズル７５ａに対応した貯留部７０ａ−７０ｅ、案内管７１ａ−７１ｅ、送液部７２ａ−７２ｅ、及び逆止弁７４ａ−７４ｅを示した図であり、図７（ｂ）は図６の有機溶媒ノズル７５ｂに対応した貯留部７０ｆ，７０ｇ、案内管７１ｆ，７１ｇ、送液部７２ｆ，７２ｇ、及び逆止弁７４ｆ，７４ｇを示した図である。
【００４５】
図６に示すブローノズル７５ｃ，７５ｄは、筐体の奥行き方向に延びたスリット形状の噴出口を有する第一ブローノズル７５ｃと、略円形状の噴出口を有する第二ブローノズル７５ｄとを、有している。図３に示すように、有機溶媒ノズル７５ｂ及びバッファ液ノズル７５ａには、これらを上下方向で移動させるＺ軸エアシリンダ７２ｚが連結されている。また、上述したバッファ液給液ポンプ７２ａ−７２ｅ、有機溶媒給液ポンプ７２ｆ，７２ｇ及びＺ軸エアシリンダ７２ｚには、これらを制御するエアブロー・給液制御部５５が接続されている。そして、このエアブロー・給液制御部５５は、ブローノズル７５ｃ，７５ｄの電磁弁類５８が接続されており、このブローノズル７５ｃ，７５ｄの電磁弁類５８も制御するようになっている。
【００４６】
ちなみに、同じ給液ノズル７５ａ，７５ｂ（つまりバッファ液ノズル７５ａ又は有機溶媒ノズル７５ｂ）を用いて異なる処理液を吐出する際には、レーン６の最も奥側の箇所で吐出液を切り替えた後しばらく吐出を行い（いわゆる「予備吐出」を行い）、誤った処理液が検体等に吐出されることを防止し、コンタミを防ぐようになっている。但し、例えば他のレーン６に位置するスライドグラス９０上の検体（後述する「第二検体」）に対して吐出した処理液と、これから処理しようとするレーン６に位置するスライドグラス９０上の検体（後述する「第一検体」）に対して吐出する処理液とが同じ場合には、エアブロー・給液制御部５５は、給液ノズル７５ａ，７５ｂから予備吐出を行わないように制御してもよい。
【００４７】
図６に示すように、供給ヘッド１１は、上述したノズル７５ａ−７５ｄの他に、試薬容器９１から試薬を吸引して当該試薬をスライドグラス９０上の検体に滴下する試薬ニードル７６と、試薬容器９１に貼り付けられた識別情報及びスライドグラス９０に貼り付けられた二次元バーコード等の識別情報を読み取る読取センサ７８と、上下方向の距離を測定するための超音波センサ７７とを有している。
【００４８】
図３に示すように、本実施の形態では、試薬ニードル７６の動きを制御するためのニードル制御部５２が設けられている。そして、このニードル制御部５２には、試薬ニードル７６に連結されたシリンジ（図示せず）を駆動するシリンジ・アクチュエータ７９ａと、試薬ニードル７６を上下方向で移動させるＺ軸モーター７９ｂとが接続されており、これらシリンジ・アクチュエータ７９ａ及びＺ軸モーター７９ｂを制御するようになっている。また、本実施の形態の自動組織染色装置１００は、上述した超音波センサ７７を上下方向に移動させるＺ軸エアシリンダ７７ａと、超音波センサ７７を制御するための超音波制御部５３と、を有している。
【００４９】
図２に示すように、本実施の形態の自動組織染色装置１００は、試薬ニードル７６の洗浄を行うための噴水洗浄部２６も備えている。この噴水洗浄部２６は、水平方向移動部１０が駆動されていないときに戻る初期位置に位置づけられている。噴水洗浄部２６では、洗浄液が噴水状で噴出されて、試薬ニードル７６の洗浄を行うことができるようになっている。試薬ニードル７６の洗浄は、試薬ニードル７６が一定量の洗浄液を吸い上げて試薬ニードル７６に連結されたシリンジ（図示せず）内まで洗浄液を到達させた後、当該洗浄液を吐出することで行われ、このような洗浄液の吸い上げと吐出は複数回繰り返して行われる。また、図３に示すように、噴水洗浄部２６は、噴水状に洗浄液を噴出する際に用いられる電磁弁類５６も有している。
【００５０】
図２に示すように、本実施の形態では、各スライドグラス９０に対応して、当該スライドグラス９０の一部を覆うことができる複数（本実施の形態では３６個）のカバー２５が設けられている。各カバー２５は、後述する抗原賦活化工程（ただし、酵素による場合を除く）、一次抗体反応及び二次抗体反応において、各スライドグラス９０の一部を覆うようになっている。本実施の形態では、一例として、各レーン６に１２個のスライドグラス９０が保持され、この１２個のスライドグラス９０に対応して１２個のカバー２５と１２個の加熱部２０とが設けられている。そして、各レーン６に設けられた１２個のカバー２５には、これらのカバー２５を一体として開閉するカバー開閉エアシリンダ５７（図３参照）が設けられており、本実施の形態の自動組織染色装置１００には合計３つのカバー開閉エアシリンダ５７が設けられている。なお、図３では、各レーン６に対応するカバー開閉エアシリンダ５７は、第１レーン連動、第２レーン連動及び第３レーン連動と記載して示されている。
【００５１】
本実施の形態では、今から、供給ヘッド１１から処理流体を供給する処理を行おうとしているレーン６上に位置するスライドグラス９０を「第一領域に位置するスライドグラス」と呼ぶ。そして、当該レーン６以外のレーン６上に位置するスライドグラス９０を「第二領域に位置するスライドグラス」と呼ぶ。より具体的には、今から図２の一番右端のレーン６上に位置するスライドグラス９０に対して供給ヘッド１１から処理流体を供給しようとする場合には、図２の一番右端のレーン６上に位置するスライドグラス９０が第一領域に位置するスライドグラス９０となり、その他のレーン６、つまり図２の一番左端のレーン６及び真ん中のレーン６上に位置するスライドグラス９０が第二領域に位置するスライドグラス９０となる。また、本実施の形態では、「第一領域に位置するスライドグラス」上の検体を「第一検体」と呼び、「第二領域に位置するスライドグラス」上の検体を「第二検体」と呼ぶ。具体例を用いて説明すると、仮に今から図２の一番右端のレーン６上に位置するスライドグラス９０に対して供給ヘッド１１から処理流体を供給しようとする場合には、図２の一番右端のレーン６上に位置するスライドグラス９０上の検体が第一検体となり、その他のレーン６、つまり図２の一番左端のレーン６及び真ん中のレーン６上に位置するスライドグラス９０上の検体が第二検体となる。
【００５２】
なお、本実施の形態において単に「制御部」と呼ぶ場合には、上述した、主制御部５０、水平方向移動制御部５１、ニードル制御部５２、超音波制御部５３、加熱制御部５４及びエアブロー・給液制御部５５の総称を意味し、この「制御部」には自動組織染色装置１００を制御するあらゆるものが含まれる。以下、この「制御部」という文言を用いて説明する。
【００５３】
本実施の形態の制御部５０−５５（例えば主制御部５０）は、第一領域に位置するスライドグラス９０上の第一検体に対して供給ヘッド１１から処理流体を供給するのに先立ち、水平方向移動部１０の占有状態を判断し、水平方向移動部１０が占有されている場合には、第一領域に位置するスライドグラス９０上の第一検体に対する直近の処理の開始を保留し、水平方向移動部１０が占有されていない場合には、第一領域に位置するスライドグラス９０上の第一検体に対する直近の処理の開始を許可するようになっている（なお、処理の開始を許可しても、当該処理の内容が優先される等の所定の条件を満たさないと当該処理は開始されない。）。
【００５４】
また、制御部５０−５５は、第二領域に位置するスライドグラス９０上の第二検体に対する反応を開始させており当該第二検体に対する反応を停止させる処理を行う予定がある場合には、第一領域に位置するスライドグラス９０上の第一検体に対する処理を開始した場合の水平方向移動部１０の利用予定と、第二検体のうち反応を停止させる処理を行う予定のある第二検体（以下「反応停止予定第二検体」とも言う。）に対する処理での水平方向移動部１０の利用予定とを比較し、第一検体に対する処理を開始した場合の水平方向移動部１０を利用する時間と、反応停止予定第二検体に対する処理（後述する処理工程の停止だけでなくバッファ液の継ぎ足しも含まれる。以下も同様とする。）で水平方向移動部１０を利用する時間とが重複するかを判断する（図１０Ｂ乃至図１０Ｄ参照）。
【００５５】
利用予定を比較する態様に関してより具体的に説明すると、制御部５０−５５は、第二検体に対する反応を開始させており当該第二検体に対する反応を停止させる処理を行う予定がある場合には、レーン６毎に作成される統合工程シークェンス（後述する。図８参照）における現時点以降の処理予定を相互に比較することで、あるレーン６に位置する複数の第一検体に対する処理を開始した場合の水平方向移動部１０の利用予定と、他のレーン６に位置する複数の反応停止予定第二検体に対する処理での水平方向移動部１０の利用予定とを比較し、複数の第一検体に対する処理を開始した場合の水平方向移動部１０を利用する時間と、複数の反応停止予定第二検体に対する処理で水平方向移動部１０を利用する時間とが重複するかを判断するようになっている。なお、この統合工程シークェンスは、各レーン６上の保持部７で保持された複数の検体に対する処理工程（後述する）を統合して作成されるものである。
【００５６】
水平方向移動部１０を占有する時間や利用する時間は、統合工程シークェンス内の各工程をある程度まとめて判断される。より具体的には、一定の反応時間が設定される処理工程（後述する抗原賦活化処理、一次抗体反応処理、二次抗体反応処理、ＤＡＢ発色処理及び核染色処理、参照）は、反応を開始させる準備を行う仕掛工程と、反応を終了させる停止工程とを含み（図９Ａ参照）、仕掛工程では継続して水平方向移動部１０が占有され、また、利用される予定であると判断され、同様に、停止工程でも継続して水平方向移動部１０が占有され、また、利用される予定であると判断されることとなる。他方、一定の反応時間が設定されない処理工程の場合（後述する脱パラフィン処理等参照）には、当該処理工程内で特段分離されることなく、当該処理工程の間は水平方向移動部１０が継続して占有されていると判断され、また、利用される予定であると判断される。なお、後述するように、抗原賦活化処理ではバッファ液の継ぎ足しが行われることから、抗原賦活化処理は、上述した仕掛工程及び停止工程の他に、バッファ液を継ぎ足す継ぎ足し工程も有することとなる。また、停止工程は、当該停止工程で反応が終了される全てのスライドグラス９０のうちいずれか１枚に対して、演算部４４によって求められる時間の積算の値が所定の時間になったときに開始されることとなる。
【００５７】
図３に示す演算部４４は、温度測定部２１による測定結果に基づいて、検体の温度が所定の温度に達したことを判断し、時間に基づくカウントを開始して時間の積算を行うようになっている。そして、演算部４４は、後述する抗原賦活化処理において処理液の一種であるバッファ液をスライドグラス９０上の検体に対して継ぎ足す際に、上記のカウントを停止し、バッファ液を継ぎ足した後であって所定の温度となったと判断された際に、上記のカウントを再開するようになっている。本実施の形態では、このように演算部４４が特許請求の範囲に記載の「積算部」としての役割を果たす態様を用いて説明するが、これに限られることはなく、例えば当該積算部が演算部４４とは別体として設けられてもよい。
【００５８】
制御部５０−５５は、第一検体に対する処理を開始できる場合に、第二検体に対する直近の処理を開始できるかを判断し、第二検体に対する直近の処理を開始できるときには、第一検体に対する直近の処理予定の内容と第二検体に対する直近の処理予定（開始可能な処理予定）の内容とを比較する（図１０Ｂ乃至図１０Ｄ参照）。なお、図１０Ａに示すケースは第一検体に対する処理が開始できない場合であるため、このような比較が行われていない。
【００５９】
制御部５０−５５は、第一検体に対する処理を開始できる場合であって、第二検体に対する処理を開始できず、かつ、第一検体に対する処理を開始した場合の処理予定において水平方向移動部１０を利用する時間と反応停止予定第二検体に対する処理予定において水平方向移動部１０を利用する時間とが重複しない場合には、第一検体に対する処理の開始を許可する。他方、制御部５０−５５は、第一検体に対する処理を開始できる場合であって、第二検体に対する直近の処理を開始できるとき（この場合、仮に両者を開始すると夫々の処理において水平方向移動部１０を利用する時間どうしが重複する）、又は、第一検体に対する処理を開始した場合の水平方向移動部１０を利用する時間と反応停止予定第二検体に対する処理で水平方向移動部１０を利用する時間とが重複するときには、重複する時間に行われる第一検体に対する処理予定の内容と第二検体に対する処理予定の内容とを比較する。
【００６０】
本実施の形態では、第一検体に対する直近の処理を含む処理工程に関しては、当該処理工程を開始できるか否かだけでなく、図１０Ａ乃至図１０Ｄに示すように、当該処理工程を開始した場合における水平方向移動部１０の利用予定を把握することができる。また、第二検体に対する反応を開始させており当該第二検体に対する反応を停止させる処理やバッファ液の継ぎ足し工程を行う予定がある場合には、当該処理や工程（反応を停止させる処理の場合は停止工程）を開始できるか否かだけでなく、当該処理や工程をまだ開始できない場合であっても、図１０Ｂ乃至図１０Ｄに示すように、当該停止工程やバッファ液継ぎ足し工程（バッファ液継ぎ足し工程については図１０Ｂ乃至図１０Ｄでは図示していない。）における水平方向移動部１０の利用予定を把握することができる。なお、制御部５０−５５は、第二検体に対する停止工程やバッファ液継ぎ足し工程以外の工程に関しては、第二検体に対する処理を開始できるか否かしか判断しない。
【００６１】
そして、制御部５０−５５は、第一検体に対する処理を開始できる場合であって、第二検体に対する処理を開始できるとき（この場合、両者を開始すると夫々の処理において水平方向移動部１０を利用する時間どうしが重複する）、又は、第一検体に対する処理を開始した場合に水平方向移動部１０を利用する時間と反応停止予定第二検体に対する処理（つまり「停止工程」または「バッファ液継ぎ足し工程」）で水平方向移動部１０を利用する時間とが重複するときには、重複する時間に行われる第一検体に対する処理予定の内容と第二検体に対する処理予定の内容とを比較する。
【００６２】
なお、図１０Ａ乃至図１０Ｄにおいて、上方に凸状態となっている時間では、水平方向移動部１０が利用される予定となっている。他方、図１０Ｂ乃至図１０Ｄにおいて、円形状（○）で示されている処理では占有時間は仮想されておらず、開始可能か否かのみが判断される。
【００６３】
また、本実施の形態における水平方向移動部１０の利用予定は、統合工程シークェンスの作成の際に、（前記したように）ある程度まとめた工程毎に、標準的な処理時間を用いて仮に算出したものである。より具体的には、図１０Ａ乃至図１０Ｄの現時点以降において、「仕掛工程」となっている箇所、「停止工程」となっている箇所、「仕掛工程」と「停止工程」との間を接続する凹状態として示されている箇所の各々の長さ等は、標準的な処理時間を用いて仮に算出したものとなっている。
【００６４】
ちなみに、反応時間が設定される処理工程であってもその反応時間が短く「一定の反応時間（特定の反応時間）」（例えば１分）が設定されない場合には、当該反応時間中に水平方向移動部１０を利用できる時間がほとんどないため、当該処理工程を「仕掛工程」と「停止工程」とに分けず、当該処理工程においては継続して水平方向移動部１０が利用される予定として判断される。この態様の一例としては、脱パラフィン処理等を挙げることができる。
【００６５】
また、後述するように、第一検体も第二検体も、属性が同じであれば異なる検査法を適用する複数の検体を含んでいてもよい。例えば、第一検体に反応時間の設定が異なる複数の検体が含まれる場合には、反応時間の設定が異なる複数の検体毎に「停止工程」が存在しうる。図１０Ａ乃至図１０Ｄにおいては、第一検体でも第二検体でも、「停止工程」がひとつの凸状態として図示されているのは、夫々の検体で反応時間の設定が同じであった場合を想定したためである。
【００６６】
第一検体に対する処理を開始できる場合には、重複する時間に行われる第一検体に対する処理予定の内容と第二検体に対する処理予定の内容とを比較した結果、第一検体に対する処理予定の内容が第二検体に対する処理予定の内容よりも優先されるかどうかが判断される。この際、第二検体に対する処理を開始できるかどうかも判断され、第二検体に対する処理を開始できる場合には、第一検体に対する直近の処理予定の内容が第二検体に対する直近の処理予定（開始可能な処理予定）の内容よりも優先されるかどうかも判断される。そして、第一検体に対する処理予定の内容が第二検体に対する処理予定の内容よりも優先されるときには、第一検体に対する水平方向移動部１０を利用する直近の処理を開始する。他方、第二検体に対する処理予定の内容が第一検体に対する処理予定の内容よりも優先されるときには第一検体に対する水平方向移動部１０を利用する直近の処理の開始を保留する。
【００６７】
第一検体に対する水平方向移動部１０を利用する直近の処理の開始が保留されたとき（例えば図１０Ａの場合）には、直ちに、それまで第一検体であった検体（図１０Ａにおいてはレーン番号（１）のレーン６上に位置するスライドグラス９０上の検体）が第二検体に変更され、それまで第二検体であった検体（図１０Ａにおいてはレーン番号（２）のレーン６上に位置するスライドグラス９０上の検体）が第一検体に変更されたうえで、同様に比較が行われる（図１０Ｂ）。レーンが三つある場合には、第一検体と第二検体の組み合わせは三通り生じるので、最大で三回の比較を行うことになる。図１０Ａ乃至図１０Ｃにおいては、図１０Ａではレーン番号（１）のレーン６上に位置するスライドグラス９０上の検体を第一検体とした際に当該検体に対する処理を開始できない状況であったため第二検体との比較が行われず、図１０Ｂではレーン番号（２）のレーン６上に位置するスライドグラス９０上の検体を第一検体とした際に当該検体に対する処理を開始できる状況であったため第二検体との比較が行われたが当該第一検体に対する処理の開始が保留され、図１０Ｃではレーン番号（３）のレーン６上に位置するスライドグラス９０上の検体を第一検体とした際に当該検体に対する処理を開始できる状況であったため第二検体との比較が行われて当該検体に対する処理が開始された、一連の経過が示されている。一方、図１０Ｄにおいては、レーン番号（１）のレーン６上に位置するスライドグラス９０上の検体を第一検体とした際に、（当該第一検体に対する）処理が開始されたため、一回だけの比較のみが行われた例を示している。
【００６８】
なお、第一検体に対する直近の処理を含む処理工程における処理での水平方向移動部１０の利用予定と、第二検体に対する直近の処理を含む処理工程における処理での水平方向移動部１０の利用予定とを比較するようにして、比較する処理予定の範囲を限定することもできる。ただ、このように比較する処理予定の範囲を限定しても、水平方向移動部１０を利用する時間の重複が複数回生じる場合があり得る。このような場合、複数の処理のうちの一つでは第一検体が第二検体よりも優先されるが、複数の処理のうちの別の一つでは第二検体が第一検体に対して優先されるとの判断が生じる可能性があり、（図１０Ａ乃至図１０Ｃで示したような）最大回数の比較を行ったとしても、開始すべき検体が決定されないことがあり得る。このような場合において第二検体に対する処理を開始できるときには、全ての検体の処理を保留しても、次の（例えば１／１００秒後の）チェックの際にも、同じ状況が維持されて、同じ比較結果となり、そのまま処理が進行しなくなるおそれがある。そこで、本実施の形態では、水平方向移動部１０を利用する時間の重複が複数回生じる場合には、最初の重複についてのみ処理予定の比較を実行するようになっている。
【００６９】
本実施の形態では、第一の優先順位として、第一検体に対する処理予定の内容が当該第一検体に対する反応を停止させる処理の場合であって、第二検体に対する処理予定の内容が当該第二検体に対する反応を停止させる処理以外の処理である場合には、第一検体に対する処理予定の内容が第二検体に対する処理予定の内容よりも優先されることとなる（図１０Ｄではレーン番号（１）のレーン６上に位置するスライドグラス９０上の検体が優先された。）。
【００７０】
また、第二の優先順位として、第一検体及び第二検体に対する処理予定の内容がこれら第一検体及び第二検体に対する反応を停止させる処理以外の処理の場合であって、第一検体（つまり、今から処理を行おうとしているレーン６上に位置するスライドグラス９０上の検体）に対して水平方向移動部１０を利用して行おうとしている直近の処理が保留された時間が、第二検体（つまり、残りの２つのレーン６上に位置するスライドグラス９０上の検体）に対して水平方向移動部１０を利用して行おうとしている直近の処理が保留された時間よりも長い場合には、第一検体に対する（直近の）処理予定の内容が第二検体に対する（直近の）処理予定の内容よりも優先されることとなる（図１０Ｂ及び図１０Ｃ）。ちなみに開始できる状態にない処理の保留時間は「０」となっている。
【００７１】
なお、染色法として免疫染色法が指定された検体のある場合において、第一検体に対する処理予定の内容が当該第一検体に対する反応を停止させる処理の場合であって第二検体に対する処理予定の内容も当該第二検体に対する反応を停止させる処理の場合には、第一検体に対する処理予定の内容が当該第一検体中の抗原に対する「一次抗体」の反応を停止させる処理であり第二検体に対する処理予定の内容が当該第二検体中の抗原に対する「一次抗体」の反応を停止させる処理以外の処理であるときに、第一検体に対する処理予定の内容が第二検体に対する処理予定の内容よりも優先される。
【００７２】
また、第一検体に対する処理予定の内容が当該第一検体に対する反応を停止させる処理の場合であって第二検体に対する処理予定の内容も当該第二検体に対する反応を停止させる処理の場合には、停止対象となっている第一検体に対して指定する反応時間が停止対象となっている第二検体に対して指定する反応時間よりも短いときに、第一検体に対する処理予定の内容が第二検体に対する処理予定の内容よりも優先される。
【００７３】
次に、図４に示した操作単位データベース８２及び検査手順データベース８１等に関して、より詳細に説明する。図４に示す操作単位データベース８２で記憶されている「操作単位」に相当する「ユニット」は、パラメータが未登録な状態となっている。そして、操作単位データベース８２では、「ユニット」として、例えば、エアブロー（有／無）、カバー装着（有／無）、試薬滴下（ニードル／ノズル／手動／なし）、カバーに対するオーバーフロー洗浄（バッファ液１回／２回／３回／４回／５回／６回／水１回／２回／３回／４回／５回／６回）、カバー脱着（有／無）、スライドグラス洗浄（無し／バッファ液１回／２回／３回／４回／５回／６回、水１回／２回／３回／４回／５回／６回）、及び排液（無し／一般／有害／有機）というような項目が記憶されている。なお後で説明するが、上述の「エアブロー」とは、スライドグラス９０やカバー２５等にブローノズル７５ｃ，７５ｄによって空気等の気体を吹き付ける工程のことを意味し、「オーバーフロー洗浄」とは、カバー２５に上方からバッファ液を流入し、カバー２５の底面とスライドグラス９０との間の液溜りから押し出された溶液を、カバー２５の底面から頂面にかけて円柱状に連通した四隅の穴（図示せず）からオーバーフローして排出させる工程のことを意味している。
【００７４】
上述のような「ユニット」を選定しつなぎ合わせることで、「属性」に相当するプロトコルが生成される。このプロトコルとしては、一例として、脱パラフィン処理１（エアブローなし。有機溶媒滴下。洗浄なし。）、脱パラフィン処理２（エアブローあり。有機溶媒滴下。洗浄なし。）、両親媒性化処理１（エアブローあり。アルコール滴下。洗浄なし。）、両親媒性化処理２（エアブローあり。アルコール滴下。洗浄あり。）、バッファ洗浄、抗原賦活化（加熱）（カバー利用あり。）、抗原賦活化（酵素）（カバー利用なし。）、ブロッキング処理、第一抗体処理（カバー利用あり。）、第二抗体処理（カバー利用あり。）、ＤＡＢ発色処理、核染色処理、及び終了処理、というように一つのユニット又は複数のユニットをつなぎ合わせたものを挙げることができる。このように生成されたプロトコルは、操作手順属性データベース８５に記憶される。
【００７５】
さらに、このプロトコルを選択し、ユニット毎に、このユニットの実行の有無（ＯＮ／ＯＦＦ）、試薬種類（抗原賦活化試薬と第一抗体試薬を除く。）、反応時間、及び反応温度（つまり加熱部２０の温度）等のパラメータを登録することで検出システムが生成される。このように生成された検出システムは、図４に示す、検査手順データベース８１及び操作手順属性データベース８５に接続された中間データベース８８に記憶される。なお、同一のプロトコルに対して複数の検出システムを登録することができ、本実施の形態では、プロトコルが同じものを「属性」が同じであると判断する。ちなみに、本実施の形態では、第一抗体の種類に依存して抗原賦活化処理が決定され、また、第一抗体の種類は非常に数が多くなることから、検出システムを生成する際において、抗原賦活化試薬と第一抗体試薬に関してはまだ各パラメータが規定されていない。
【００７６】
検査手順データベース８１には、「検査法」に相当する染色プログラムが記憶されている。この染色プログラムは、特定の検出システムを選択し、選択された特定の検出システムで使用する第一抗体を指定して、検査手順データベース８１に登録したものである。具体的には、まず、オペレータが操作監視用装置４０の表示部４２に表示された第一抗体の登録画面から登録した第１抗体試薬を選び、対応するパラメータ（反応時間、反応温度、及び抗原賦活化処理の有無）を登録する。そして、抗原賦活化（加熱）処理を「有」とした場合には、その条件（賦活化試薬の種類、反応時間、及び反応温度）を登録する。また、抗原賦活化（酵素）処理を「有」とした場合には、その条件（賦活化試薬の種類、反応時間、及び反応温度）を登録する。また、抗原賦活化（加熱）処理及び抗原賦活化（酵素）処理の両方を「有」とした場合には、それぞれの条件を入力する。なお、このようにして作成された染色プログラムが同じプロトコルを有していれば「属性」が同じであると判断される。
【００７７】
《方法》
次に、上述した自動組織染色装置１００を用いた自動組織染色方法において、各検体に対して行われる処理の流れについて簡単に説明する。なお、各処理工程の順番については図１１を参照されたい。
【００７８】
［脱パラフィン処理］
まず、有機溶媒ノズル７５ｂ（図６参照）からスライドグラス９０上の検体に対して有機溶媒を供給して、検体を取り囲んでいたパラフィンを溶出させて除去する。パラフィンを溶出させた後で、スライドグラス９０上の検体に対して有機溶媒ノズル７５ｂからアルコールを供給して、検体表面を両親媒性にした後、さらにスライドグラス９０上の検体に対してバッファ液ノズル７５ａからバッファ液を供給して置換する。
【００７９】
なお、最初の段階では、検体はパラフィンに包埋された後、薄く切り出されてスライドグラス９０に貼り付けられている。しかしながら、このパラフィンが疎水性のため検体表面も疎水性となっており、以降の処理の障害になるため、上述のような脱パラフィン処理を行うのである。
【００８０】
［ブロッキング処理］
次に、試薬ニードル７６（図６参照）により、試薬容器９１から過酸化水素水等からなるブロッキング液を吸引し、対象となっているスライドグラス９０上の検体に対して当該ブロッキング液を滴下する。このことによって、検体に含まれるペルオキシターゼ等を失活させる。ペルオキシターゼ等を失活させた後で、バッファ液ノズル７５ａからスライドグラス９０上の検体に対してバッファ液を供給して検体を洗浄する。このようにバッファ液を検体に供給することで、仮に反応等が進行中であっても、当該反応を停止することができる。このことは、以下で説明する処理でも同様である。
【００８１】
なお、このようなブロッキング処理を行うのは、次のような理由による。検査の目的は、検査対象の抗原が存在する位置を染色するために、二次抗体に標識してあるペルオキシダーゼ等を例えばＤＡＢ発色により可視化することである。ところが、抗原を含んだ組織にもペルオキシダーゼ等が存在する場合があり、このペルオキシダーゼ等も発色してしまうと偽陽性が生ずる可能性がある。この点、ブロッキング処理を行うことで、このような偽陽性が生ずることを防止できる。
【００８２】
ところで、同じ給液ノズル７５ａ，７５ｂ（つまりバッファ液ノズル７５ａ又は有機溶媒ノズル７５ｂ）を用いて異なる吐出液を吐出する際には、水平方向移動部１０の初期位置にある噴水洗浄部２６で、上述した予備吐出を行う。なお、この予備吐出は、具体的に記載していなくても、以下で説明する処理のいずれでも行われる。ちなみに、ブロッキング処理で抗原が流出してしまう場合には、ブロッキング処理を後述する抗原賦活化処理の後に行うこともできる。
【００８３】
［抗原賦活化処理］
次に、検体に含まれる抗原を加熱により賦活化させる処理を行う。具体的には、まず、ブローノズル７５ｃ，７５ｄ（図６参照）によってスライドグラス９０及びカバー２５に対して空気等の気体を吹き付け（図２参照）、スライドグラス９０及びカバー２５上のバッファ液を吹き飛ばして除去する。なお、この際には温度測定部２１で測定される温度は例えば３５℃以下となっている。次に、スライドグラス９０の上面をカバー２５で覆ってスライドグラス９０を下方に移動させ、当該スライドグラス９０の下面を加熱部２０に密着させる。この際、保持部７は弾性部材６ａ（図５参照）から上方に向かう付勢力を受けることとなる。その後、バッファ液ノズル７５ａからカバー２５にバッファ液を流入し（図２参照）、その後で、加熱部２０の温度を上昇させ、温度測定部２１による測定結果に基づいて検体の温度が所定の温度に達したと判断したら当該温度を維持する。なお、カバー２５に上方からバッファ液が流入することで、カバー２５の底面とスライドグラス９０の間に均一な液溜りが形成されることとなる。
【００８４】
検体の温度が所定の温度に達したと判断されると、演算部４４（図３参照）が時間カウントを開始して時間の積算を行う。なお、このように所定の温度を維持している間で、バッファ液の蒸発を考慮してバッファ液の継ぎ足しを行う必要がある場合がある。そして、このようにバッファ液をカバー２５上に継ぎ足して処理液をスライドグラス９０上の検体に対して継ぎ足した場合には、演算部４４は、所定の温度となった時間に関する時間カウントを停止し、処理流体（処理液）を継ぎ足した後であって所定の温度となった際に又は処理流体を継ぎ足した後で所定の時間（例えば１分）経過した後で、上記の時間カウントを再開する。
【００８５】
演算部４４で積算された時間が所定時間に達すると、加熱部２０がＯＦＦ状態になる。加熱部２０をＯＦＦ状態とすると、検体は自然に冷却される。
【００８６】
そして、検体が例えば６５℃程度まで冷却されると、バッファ液ノズル７５ａからカバー２５にバッファ液が供給されてカバー２５が洗浄される（図２参照）。この際、カバー２５に上方からバッファ液が流入することとなるが、カバー２５の底面とスライドグラス９０との間の液溜りから押し出された溶液は、カバー２５の底面から頂面にかけて円柱状に連通した四隅の穴（図示せず）からオーバーフローして排出される。このようにバッファ液を溢れさせることで、抗原賦活化に供したバッファ液を置換し、検体の温度を効率よく下げることができる。なお、このようにカバー２５にバッファ液を供給した後には所定の時間（例えば２分間）、放置し放冷を促してもよい。このようにカバー２５が洗浄され、所定の温度（例えば４５℃）に到達するとカバー開閉エアシリンダ５７によってカバー２５のロックが解除され、１２個のカバー２５が筐体１の奥行き方向に延びた軸（図示せず）を中心として上方に揺動されて開かれる。これにより、保持部７が弾性部材６ａから受ける付勢力によりスライドグラス９０が上昇して加熱部２０との密着状態が解除され、さらに放冷が促される。そして、上方から見て「Ｕ」字形状を描くようにして水平方向移動部１０によって供給ヘッド１１が移動されて、カバー２５の底面と、スライドグラス９０のうち少なくともカバー２５の底面と接触していた部分とが洗浄される。なお、このようにカバー２５及びスライドグラス９０にバッファ液を供給した後には所定の時間（例えば２分間）、放置し放冷を促してもよい。そして、後は自然に放冷し、温度測定部２１で測定される温度が例えば３５℃以下となれば、抗原賦活化処理を終了する。
【００８７】
ちなみに、上述したようなカバー２５とスライドグラス９０の洗浄は、以下で説明する一次抗体反応処理及び二次抗体反応処理でも同様にして行われる。
【００８８】
上述したような抗原賦活化処理を行うのは、次のような理由による。検体中の抗原は、ホルマリン固定で架橋形成されている。このため、抗原に対して後述する一次抗体が反応しにくい状態となっている。この点、上述のような抗原賦活化処理を行うことで、後述する一次抗体が抗原に対して反応しやすくなる。この抗原賦活化処理の一例としては、金属イオンを取り除くためにキレート剤入りのバッファ液を使用し、１時間程、検体（抗原）を所定の温度で加温し続ければよい。
【００８９】
ちなみに、この抗原賦活化処理では、図９Ａに示すように、ブローノズル７５ｃ，７５ｄによってスライドグラス９０及びカバー２５に対して空気等の気体を吹き付けてから、バッファ液ノズル７５ａによって各カバー２５にバッファ液を流入するまでの工程が「仕掛工程」となり、加熱部２０がＯＦＦ状態となった後でバッファ液ノズル７５ａの予備吐出を行ってから、スライドグラス９０及びカバー２５が洗浄されるまでの工程が「停止工程」となる。なお、ブローノズル７５ｃ，７５ｄによってスライドグラス９０及びカバー２５に対して空気等の気体を吹き付けてから、バッファ液ノズル７５ａによって各カバー２５にバッファ液を流入させるまでを一気に行うのは、気体を吹き付けて検体が乾燥した状態となっており、早めにバッファ液を検体に供給する必要があるためである。
【００９０】
また、レーン６毎の統合工程シークェンスの作成の際に、酵素を用いた抗原賦活化処理においては、図９Ｂに示すような抗原賦活化処理のシークェンスが作成され、そのレーン６の統合工程シークェンスの一部となる。より具体的には、あるレーン６（図９Ｂでは「レーン１」）のスライド１〜１２に対して、以下のようなシークェンスが作成される。まず、噴水洗浄部２６で試薬ニードル７６を洗浄した後で当該試薬ニードル７６によって酵素Ｃを所定量だけ吸引する。次に、ブローノズル７５ｃ，７５ｄによって対象となるスライドグラス９０（スライド１０）に対して空気等の気体を吹き付け、当該スライドグラス９０上のバッファ液を吹き飛ばして除去し、その後で、酵素Ｃを対象となるスライドグラス９０（スライド１０）上に滴下する。そして、同じ酵素Ｃを用いるスライドグラス９０（スライド１１及び１２）に対しては、エアブローと酵素Ｃの滴下を連続して行う。そして、異なる酵素Ａを用いる場合には、供給ヘッド１１が噴水洗浄部２６の上方まで移動し、噴水洗浄部２６で試薬ニードル７６を洗浄した後で当該試薬ニードル７６によって酵素Ａを所定量だけ吸引する。次に、供給ヘッド１１が所定の試薬容器９１の上方まで移動し、試薬ニードル７６が対象となる酵素Ａを試薬容器９１から吸引し、後は、上述したのと同様の工程を繰り返し行う。そして、酵素の滴下処理が終了すると試薬ニードル７６が洗浄される。
【００９１】
［一次抗体反応処理］
抗原賦活化処理が終了すると、次に、検体に含まれる抗原に一次抗体を付着させる処理を行う。具体的には、まず、ブローノズル７５ｃ，７５ｄによってスライドグラス９０及びカバー２５に対して空気等の気体を吹き付け、スライドグラス９０及びカバー２５上のバッファ液を吹き飛ばして除去する。なお、この際には温度測定部２１で測定される温度は例えば３５℃以下となっている。このようにバッファ液を除去することで、次に供給される試薬等が、残ったバッファ液によって希釈化されることを未然に防止することができる（以上で説明したブロッキング処理及び抗原賦活化処理、並びに以下で説明する二次抗体反応処理、ＤＡＢ発色処理及び核染色処理でも同様の効果を得ることができる。）。次に、スライドグラス９０の上面をカバー２５で覆ってスライドグラス９０を下方に移動させ、当該スライドグラス９０の下面を加熱部２０に密着させる。この際又はこの後、供給ヘッド１１が噴水洗浄部２６の上方まで移動し、噴水洗浄部２６で試薬ニードル７６が噴水洗浄される。このとき、試薬ニードル７６に少量のバッファ液を吸引し、さらに少量の空気を吸引する。次に、供給ヘッド１１が所定の試薬容器９１の上方まで移動し、試薬ニードル７６が試薬容器９１から試薬を吸引する。この際、試薬ニードル７６が所定の位置まで上下方向駆動部によって移動された後で、当該試薬ニードル７６によって試薬容器９１内の所定量の試薬が吸引される。前記の吸引した空気が試薬ニードル７６の管路中においてエア・ギャップとなり、前記の吸引した試薬と前記の吸引したバッファ液との混合を防ぐ。
【００９２】
次に、供給ヘッド１１が所定のスライドグラス９０の上方まで移動し、試薬ニードル７６から、吸引された試薬をカバー２５上から規定量滴下する。なお、同一の試薬を複数のスライドグラス９０に対して滴下するときは、試薬ニードル７６の一回の吸引に基づいて同一の試薬が連続して滴下されることとなる。なお、このような試薬ニードル７６による連続的な試薬の供給は、試薬ニードル７６に試薬を供給するシリンジ（図示せず）の容量を超えない程度で行われる。
【００９３】
また、試薬ニードル７６の使用の前後では、必ず噴水洗浄部２６で試薬ニードル７６の噴水洗浄を行う。既に述べたが、この試薬ニードル７６の洗浄は、まず、試薬ニードル７６内の液体を前記の吸引したバッファ液を含め全て排出することで行われる。そして、試薬ニードル７６が一定量の洗浄液を吸い上げて試薬ニードル７６に連結されたシリンジ（図示せず）内まで洗浄液を到達させた後、当該洗浄液を吐出し、このような洗浄液の吸い上げと吐出は複数回繰り返して行われる。ただし、同一の試薬を複数のスライドグラス９０に滴下する場合には、当該試薬のスライドグラス９０に対する滴下が全て終了した後で、試薬ニードル７６の噴水洗浄が行われる。このような試薬ニードル７６の噴水洗浄は、特に説明しなくても、以上で説明したブロッキング処理及び酵素を使用する抗原賦活化処理、並びに以下で説明する二次抗体反応処理、ＤＡＢ発色処理及び核染色処理でも同様に行われる。
【００９４】
上述のようにカバー２５上に試薬が規定量滴下されると、（例えば１０秒程度の間）加熱部２０の温度を上昇させ、温度測定部２１による測定結果に基づいて検体の温度が所定の温度（例えば２５℃〜４５℃程度）に達したと判断したら当該温度を維持する。このように検体の温度が所定の温度に達したと判断されると、演算部４４が時間に基づくカウントを開始して時間の積算を行う。そして、演算部４４で積算された時間が所定時間に達すると、加熱部２０をＯＦＦ状態とする。加熱部２０をＯＦＦ状態とする前後又は加熱部２０をＯＦＦ状態とすると同時に、バッファ液ノズル７５ａからカバー２５にバッファ液が供給されてカバー２５が洗浄される。この際、カバー２５に上方からバッファ液を流入されることとなるが、カバー２５の底面とスライドグラス９０との間の液溜りから押し出された溶液は、カバー２５の底面から頂面にかけて円柱状に連通した四隅の穴からオーバーフローして排出される。このようにバッファ液ノズル７５ａからカバー２５にバッファ液を供給することで抗原に対する一次抗体の反応を停止させる。カバー２５が洗浄され、所定の温度に到達するとカバー開閉エアシリンダ５７によってカバー２５のロックが解除され、１２個のカバー２５が筐体１の奥行き方向に延びた軸を中心として上方に揺動されて開かれる。そして、上方から見て「Ｕ」字形状を描くようにして水平方向移動部１０によって供給ヘッド１１が移動されて、カバー２５の底面と、スライドグラス９０のうち少なくともカバー２５の底面と接触していた部分とが洗浄される。
【００９５】
ちなみに、この一次抗体反応処理では、ブローノズル７５ｃ，７５ｄによってスライドグラス９０及びカバー２５に対して空気等の気体を吹き付けてから、試薬ニードル７６によって試薬をカバー２５上から滴下するまでの工程が「仕掛工程」となり、一次抗体反応を停止させる直前にバッファ液ノズル７５ａの予備吐出を行ってから、スライドグラス９０及びカバー２５が洗浄されるまでの工程が「停止工程」となる。
【００９６】
［二次抗体反応処理］
一次抗体反応処理が終了すると、次に、検体表面の抗原に結合した一次抗体に二次抗体を付着させる処理を行う。この二次抗体反応処理は、上述した一次抗体反応処理と同様にして行われる。まず、ブローノズル７５ｃ，７５ｄによってスライドグラス９０及びカバー２５に対して空気等の気体を吹き付け、スライドグラス９０及びカバー２５上のバッファ液を吹き飛ばして除去する。なお、この際には温度測定部２１で測定される温度は例えば３５℃以下となっている。次に、スライドグラス９０の上面をカバー２５で覆ってスライドグラス９０を下方に移動させ、当該スライドグラス９０の下面を加熱部２０に密着させる。この際又はこの後、供給ヘッド１１が噴水洗浄部２６の上方まで移動し、噴水洗浄部２６で試薬ニードル７６が噴水洗浄される。次に、供給ヘッド１１が所定の試薬容器９１の上方まで移動し、試薬ニードル７６が試薬容器９１から試薬を吸引する。この際、試薬ニードル７６が所定の位置まで上下方向駆動部によって移動された後で、当該試薬ニードル７６によって試薬容器９１内の所定量の試薬が吸引される。
【００９７】
次に、供給ヘッド１１が所定のスライドグラス９０の上方まで移動し、試薬ニードル７６から、吸引された試薬をカバー２５上から規定量滴下する。なお、同一の試薬を複数のスライドグラス９０に対して滴下するときは、試薬ニードル７６の一回の吸引に基づいて同一の試薬が連続して滴下されることとなる。
【００９８】
上述のようにカバー２５上に試薬が規定量滴下されると、加熱部２０の温度を上昇させ、温度測定部２１による測定結果に基づいて検体の温度が所定の温度に達したと判断したら当該温度を維持する。このように検体の温度が所定の温度に達したと判断されると、演算部４４が時間カウントを開始して時間の積算を行う。そして、演算部４４で積算された時間が所定時間に達すると、検体を加熱した後で、加熱部２０をＯＦＦ状態とする。加熱部２０をＯＦＦ状態とする前後又は加熱部２０をＯＦＦ状態とすると同時に、バッファ液ノズル７５ａからカバー２５にバッファ液が供給されてカバー２５が洗浄される。この際、カバー２５に上方からバッファ液が流入されることとなるが、カバー２５の底面とスライドグラス９０との間の液溜りから押し出された溶液は、カバー２５の底面から頂面にかけて円柱状に連通した四隅の穴からオーバーフローして排出される。このようにバッファ液ノズル７５ａからカバー２５にバッファ液を供給することで抗原に対する二次抗体の反応を停止させる。カバー２５が洗浄され、所定の温度に到達するとカバー開閉エアシリンダ５７によってカバー２５のロックが解除され、カバー２５が筐体１の奥行き方向に延びた軸を中心として上方に揺動されて開かれる。そして、上方から見て「Ｕ」字形状を描くようにして水平方向移動部１０によって供給ヘッド１１が移動されて、カバー２５の底面と、スライドグラス９０のうち少なくともカバー２５の底面と接触していた部分とが洗浄される。
【００９９】
ちなみに、この二次抗体反応処理では、ブローノズル７５ｃ，７５ｄによってスライドグラス９０及びカバー２５に対して空気等の気体を吹き付けてから、試薬ニードル７６によって試薬をカバー２５上から滴下するまでの工程が「仕掛工程」となり、二次抗体反応を停止させる直前にバッファ液ノズル７５ａの予備吐出を行ってから、スライドグラス９０及びカバー２５が洗浄されるまでの工程が「停止工程」となる。
【０１００】
［ＤＡＢ発色処理］
二次抗体反応処理が終了すると、次に、検体に含まれる二次抗体に標識してあるペルオキシダーゼ等をＤＡＢ発色させる処理を行う。具体的には、まず、供給ヘッド１１が所定の試薬容器９１の上方まで移動し、試薬ニードル７６が試薬容器９１から所定量の試薬を吸引する。この際、試薬ニードル７６が所定の位置まで上下方向駆動部によって移動された後で、当該試薬ニードル７６によって対象となる試薬を試薬容器９１から所定量だけ吸引する。次に、ブローノズル７５ｃ，７５ｄによってスライドグラス９０に対して空気等の気体を吹き付け、スライドグラス９０上のバッファ液を吹き飛ばして除去し、その後で、試薬を対象となるスライドグラス９０上に滴下する。なお、この際には温度測定部２１で測定される温度は例えば３５℃以下となっている。そして、この工程を繰り返し行い、試薬の滴下処理が終了すると試薬ニードル７６が洗浄される。
【０１０１】
試薬の滴下が終了すると、加熱部２０の温度を上昇させ、温度測定部２１による測定結果に基づいて検体の温度が所定の温度に達したと判断したら当該温度を維持する。このように検体の温度が所定の温度に達したと判断されると、演算部４４が時間カウントを開始して時間の積算を行う。そして、演算部４４で積算された時間が所定時間に達すると、加熱部２０をＯＦＦ状態とする。加熱部２０をＯＦＦ状態とする前後又は加熱部２０をＯＦＦ状態とすると同時に、バッファ液ノズル７５ａからスライドグラス９０にバッファ液が供給されてスライドグラス９０が洗浄される。このようにバッファ液ノズル７５ａからスライドグラス９０にバッファ液を供給することで反応を停止させる。
【０１０２】
ちなみに、上述したように、吸引された試薬を対象となっているスライドグラス９０上に規定量滴下する直前にスライドグラス９０上のバッファ液を吹き飛ばして除去するのは、カバー２５を用いないことから検体が乾燥しやすいことに起因している。つまり、ＤＡＢ発色処理においてはカバー２５を用いないことから検体が乾燥しやすいが、試薬を滴下する直前にスライドグラス９０を乾燥させることで、検体が乾燥してしまうことを防止することができるのである。
【０１０３】
このＤＡＢ発色処理では、噴水洗浄部２６で試薬ニードル７６を噴水洗浄する工程から、試薬ニードル７６によって試薬をスライドグラス９０上に滴下するまでの工程が「仕掛工程」となり、ＤＡＢ発色反応を停止させる直前にバッファ液ノズル７５ａの予備吐出を行ってからスライドグラス９０が洗浄されるまでの工程が「停止工程」となる。
【０１０４】
［核染色処理］
ＤＡＢ発色処理が終了すると、次に、検体の細胞の核を染色する処理を行う。具体的には、まず、供給ヘッド１１が所定の試薬容器９１の上方まで移動し、試薬ニードル７６が試薬容器９１から試薬を吸引する。この際、試薬ニードル７６が所定の位置まで上下方向駆動部によって移動された後で、当該試薬ニードル７６によって対象となる所定量の試薬を試薬容器９１内から吸引する。次に、ブローノズル７５ｃ，７５ｄによってスライドグラス９０に対して空気等の気体を吹き付け、スライドグラス９０上のバッファ液を吹き飛ばして除去し、その後で、試薬を対象となるスライドグラス９０上に滴下する。そして、この工程を繰り返し行い、試薬の滴下処理が終了すると試薬ニードル７６が洗浄される。
【０１０５】
試薬の滴下が終了すると、加熱部２０の温度を上昇させ、温度測定部２１による測定結果に基づいて検体の温度が所定の温度に達したと判断したら当該温度を維持する。このように検体の温度が所定の温度に達したと判断されると、演算部４４が時間カウントを開始して時間の積算を行う。そして、演算部４４で積算された時間が所定時間に達すると、加熱部２０をＯＦＦ状態とする。加熱部２０をＯＦＦ状態とすると、バッファ液ノズル７５ａからスライドグラス９０に純水等の水が供給されてスライドグラス９０が洗浄される。このようにバッファ液ノズル７５ａからスライドグラス９０に水を供給することで反応を停止させる。
【０１０６】
核染色処理においても、吸引された試薬を対象となっているスライドグラス９０上に規定量滴下する直前にスライドグラス９０上のバッファ液を吹き飛ばして除去するのは、ＤＡＢ発色処理において述べたように、カバー２５を用いないことから検体が乾燥しやすいことに起因している。
【０１０７】
この核染色処理では、噴水洗浄部２６で試薬ニードル７６を噴水洗浄する工程から、試薬ニードル７６によって試薬をスライドグラス９０上に滴下するまでの工程が「仕掛工程」となり、核染色反応を停止させる直前にバッファ液ノズル７５ａで水の予備吐出を行ってからスライドグラス９０が洗浄されるまでの工程が「停止工程」となる。
【０１０８】
ちなみに、核染色処理では、染色時間がかなり短いこともあり（例えば１分程度であることもあり）、核染色処理における染色時間が短い場合には、上述した一連の工程を一気に行ってもよい。このような態様を採用した場合には、核染色処理の間は水平方向移動部１０が継続して占有されていると判断され、また、利用される予定であると判断される。
【０１０９】
［統合工程シークェンスの作成］
次に、上述した統合工程シークェンスを作成する態様について説明する。
【０１１０】
統合工程シークェンスは、複数の領域（レーン６）の各々に対して作成され、当該複数の領域の各々での複数の検体に対する一連の処理工程を含む。この統合工程シークェンスは、各レーン６において、当該レーン６上の各検体に対して行われる複数の処理工程を含む個別工程シークェンスを相互に比較し、当該レーン６上の複数の検体に対して同じ内容の処理工程を連続して行うようにして作成される。一例としては、図１１に示すように、あるレーン６上の１２個のスライドグラス９０のうち、スライドグラス９０１〜スライドグラス９０４、スライドグラス９０５〜スライドグラス９０９及びスライドグラス９０１０〜スライドグラス９０１２のそれぞれのグループ間で処理される態様が異なる場合であっても、各スライドグラス９０１〜スライドグラス９０１２で行われる処理工程、つまり、脱パラフィン処理、ブロッキング処理、抗原賦活化処理、一次抗体反応処理、二次抗体反応処理、ＤＡＢ発色処理及び核染色処理の各々が同時期に行われるようにして作成される。このように同じ内容の処理工程を連続して行うようにすることで、処理効率を高めることができる。なお、図１１においては、スライドグラス９０１〜スライドグラス９０４に関しては抗原賦活化処理がｐＨ９のバッファ液を用いて、反応温度９０℃、反応時間１時間で行われ、一次抗体反応処理が抗体Ａを１時間反応させることで行われ、二次抗体反応処理がポリマーαを３０分反応させることで行われる。また、スライドグラス９０５〜スライドグラス９０９に関しては抗原賦活化処理がｐＨ６のバッファ液を用いて、反応温度６０℃、反応時間１時間で行われ、一次抗体反応処理が抗体Ｂを２時間反応させることで行われ、二次抗体反応処理がポリマーαを３０分反応させることで行われる。また、スライドグラス９０１０〜スライドグラス９０１２に関しては抗原賦活化処理がｐＨ９のバッファ液を用いて、反応温度９０℃、反応時間３０分で行われ、一次抗体反応処理が抗体Ｃを３０分反応させることで行われ、二次抗体反応処理がポリマーβを１時間反応させることで行われる。
【０１１１】
また、統合工程シークェンスは、連続して行われる同じ内容の処理工程において、同じレーン６上に位置する各検体に対して供給される処理液（処理流体）の内容を比較し、同じ処理液を利用する検体を連続的に処理するように（すなわち同じ処理液を利用する検体に連続的に処理液を供給するように）して作成される。図８に示す態様は図１１に示した態様に対応したものであるが、スライドグラス９０１〜スライドグラス９０４及びスライドグラス９０１０〜スライドグラス９０１２の抗原賦活化処理では同じ処理液が利用され、スライドグラス９０５〜スライドグラス９０９ではスライドグラス９０１〜スライドグラス９０４及びスライドグラス９０１０〜スライドグラス９０１２と異なる処理液が利用される態様となっている。このように同じ処理液を利用する検体を連続的に処理するようにすることで、予備吐出や試薬ニードル７６の噴水洗浄等を適宜省略することができ、処理効率を高めることができる。ちなみに、図８、図９Ａ及び図９Ｂでは、スライドグラス９０１、スライドグラス９０２、・・・、スライドグラス９０１１、及びスライドグラス９０１２の各々が「スライド１」、「スライド２」、・・・、「スライド１１」、及び「スライド１２」として示されている。
【０１１２】
また、統合工程シークェンスは、同じレーン６上に位置する複数の検体のうち、連続して行われる同じ内容の処理工程で同じ処理液を利用する検体が複数ある場合には、反応時間の短い検体と比較して、反応時間の長い検体に対して先に処理液（処理流体）を供給するようにして作成される。このように反応時間の長い検体に対して先に処理液を供給することで、反応時間の長い検体に対する処理を早く始めることができ、各検体の間の当該処理工程が終わる時間の差を短くすることができる。図８に示す態様では、上述したように、スライドグラス９０１〜スライドグラス９０４及びスライドグラス９０１０〜スライドグラス９０１２の抗原賦活化処理では同じ処理液が利用されることとなるが、スライドグラス９０１〜スライドグラス９０４における反応時間は「１時間」となっているのに対して、スライドグラス９０１０〜スライドグラス９０１２における反応時間は「３０分」となっており、スライドグラス９０１〜スライドグラス９０４における反応時間がスライドグラス９０１０〜スライドグラス９０１２における反応時間よりも長くなっている。このため、スライドグラス９０１〜スライドグラス９０４に対してスライドグラス９０１０〜スライドグラス９０１２と比較して先にバッファ液を供給するようになっている。
【０１１３】
また、統合工程シークェンスは、反応温度が低い検体と比較して、反応温度が高い検体に対して先に処理液（処理流体）を供給するようにして作成される。反応温度が高い検体については昇温及び降温に時間がかかることとなるが、このように反応温度が高い検体に対して先に処理液を供給することで、反応温度が高い検体に対する処理を早く始めることができ、各検体の間の当該処理工程が終わる時間の差を短くすることができる。図８に示す態様では、スライドグラス９０１〜スライドグラス９０４及びスライドグラス９０１０〜スライドグラス９０１２上の検体に対する抗原賦活化処理は「９０℃」で行われるが、スライドグラス９０５〜スライドグラス９０９上の検体に対する抗原賦活化処理は「６０℃」で行われる。このため、スライドグラス９０１〜スライドグラス９０４及びスライドグラス９０１０〜スライドグラス９０１２に対してスライドグラス９０５〜スライドグラス９０９と比較して先にバッファ液を供給するようになっている。
【０１１４】
また、バッファ液を吹き飛ばして除去した検体には早めに処理液を供給することが好ましいことから、統合工程シークェンスは、検体からバッファ液を吹き飛ばして除去した後では、迅速に、当該検体に試薬やバッファ液を供給するようにして作成される。このため、統合工程シークェンスは、スライドグラス９０にブローノズル７５ｃ，７５ｄによって空気等の気体を吹き付けてからスライドグラス９０に処理液を供給するまでを一気に行うようにして作成される（図８参照）。なお、図８、図９Ａ及び図９Ｂでは、「エアブロー」が、スライドグラス９０にブローノズル７５ｃ，７５ｄによって空気等の気体を吹き付ける工程を示している。
【０１１５】
また、試薬ニードル７６に試薬が残ることが好ましくないことから、仕掛工程において試薬ニードル７６を使用する場合には、統合工程シークェンスは、試薬ニードル７６による試薬の吸引から試薬ニードルを洗浄するまでを一気に行うようにして作成される。（図９Ｂ参照）
【０１１６】
また、停止工程に関しては、カバー２５を用いる場合には、バッファ液等の予備吐出からカバー２５の上方からのバッファ液等の流入までを一気に行い、カバー２５を用いない場合には、バッファ液等の予備吐出からスライドグラス９０の洗浄までを一気に行うようにして、統合工程シークェンスは作成される。
【０１１７】
なお、停止工程において洗浄を行うスライドグラスの順番は、処理液を供給した順番と同じになるようにして、統合工程シークェンスは作成される。しかしながら、各スライドグラスの間で温度上昇や下降の速度にばらつきが生じうるために、各スライドグラスにおいて時間の積算が開始される時点やカバー洗浄開始温度にまで冷却される時点が、この順番に従って到来するとは限らない。そして、図９Ａでは、スライドグラス９０１〜９０４に対する抗原賦活化処理とスライドグラス９０５〜９０９に対する抗原賦活化処理において反応時間が同じ長さ（１時間）に設定されているが、このような場合には各スライドグラスにおいて時間の積算が開始される時点や洗浄開始温度にまで冷却される時点の到来は相互に接近するものと予想されるので、先に処理液が供給された抗原賦活化処理の対象のスライドグラスの全てにおいて処理を開始するタイミングが到来するより前に、その次に処理液が供給された別の抗原賦活化処理の対象のスライドグラスの一部の処理を開始するタイミングが（先に）到来することもありえる。要するに、各スライドグラスにおいて洗浄を開始すべき順番が、統合工程シークェンスにおいて生成した各スライドグラスの順番とは異なることがあるので、指定された反応時間がある程度接近している複数のスライドグラスに対する反応停止処理を、（指定された反応処理の条件が異なっていても）一気に行うようにして統合工程シークェンスが作成される。
【０１１８】
［スライドグラス９０の選定］
なお、本実施の形態の制御部５０−５５は、複数のスライドグラス９０上の各検体に対して行われる個別工程シークェンス（検査法の属性）を相互に比較して各検体に対して行われる個別工程シークェンスが相互に同じ属性に属するか否か、つまり同じプロトコルを有するか否かを判断し、ある検体に対して行われる個別工程シークェンスと別の検体に対して行われる個別工程シークェンスの属性が異なる場合には、あるレーン６上の保持部７で保持された複数のスライドグラス９０上の検体に対して同じ属性の個別工程シークェンスが行われるように、保持部７から取り除かれるべき一つ以上のスライドグラス９０を特定するようになっている。そして、操作監視用装置４０が、制御部５０−５５で取り除かれるべきであると特定されたスライドグラス９０を表示することで報知する。なお、本実施の形態では操作監視用装置４０が特許請求の範囲に記載の「報知部」の役割を果たしている。
【０１１９】
このように、本実施の形態では、あるレーン６上の保持部７で保持されたスライドグラス９０上の検体に対して同じ属性の個別工程シークェンスが行われるように、操作監視用装置４０がオペレータを誘導する。このため、一つのレーン６に、同じ属性の個別工程シークェンスで処理される検体を集めることができ、処理効率を高めることを期待できる。なお、その時点で処理できる他の検体が存在しなかったり、他のレーン６に特定されたスライドグラス９０を移動させても処理時間を短縮できる見込みがなかったりした場合等には、オペレータは操作監視用装置４０の表示を無視して、当該「あるレーン６」に当該「特定されたスライドグラス９０」を載置して、処理を開始させることもできる。
【０１２０】
また、次のような態様を採用することもできる。つまり、制御部５０−５５が、各レーン６の保持部７で保持された全てのスライドグラス９０上の検体に対して同じ属性の個別工程シークェンス（検査法）が行われるように、当該保持部７から取り除かれるべき一つ以上のスライドグラス９０を特定してもよい。そして、操作監視用装置４０が、取り除かれるべきであると特定されたスライドグラス９０を載置するべき別のレーン６（残りの２つのレーン６のうちのいずれか１つ）を表示（報知）してよい。この際に指定される別のレーン６は、例えば取り除かれるべきであると特定されたスライドグラス９０上の検体と同じ属性の個別工程シークェンスが行われることとなっているレーン６である。
【０１２１】
このような態様を採用した場合には、取り除いたスライドグラス９０をどのレーン６に載置すればよいかをオペレータに知らせることができ、オペレータは何ら迷うことなく取り除いたスライドグラス９０を適切なレーン６に移動させることができる。
【０１２２】
なお、この態様においても、取り除かれるべきであると特定されたスライドグラス９０を載置するべき別のレーン６が存在しない場合には、操作監視用装置４０は、取り除かれるべきであると特定されたスライドグラス９０を載置するべき別のレーン６を表示するのではなく、単に当該スライドグラス９０をレーン６から取り除く旨の情報を表示してもよい。
【０１２３】
［新しいスライドグラス９０の設置］
次に、新しいスライドグラス９０をレーン６に設置した際の処理について、主に図１２を用いて説明する。
【０１２４】
操作監視用装置４０の操作部４３で新しいスライドグラス９０を保持した保持部７の受入操作を実行した後、上述した優先順位に基づいて水平方向移動部１０の利用可否を判断した結果及び保留された時間等を比較した結果、対象のレーン６が最も高い優先順位になったときには、当該レーン６上で保持されうる各スライドグラス９０の各位置（以下「番地」という。）に対し、水平方向移動部１０を移動させて、当該レーン６の最も奥側の番地から順番に、各スライドグラス９０について以下の処理が開始される。
【０１２５】
まず、水平方向移動部１０に取り付けられた超音波センサ７７（図６参照）によって、処理を行うべき番地をチェックし、スライドグラス９０が載置されていることを検出した場合に、当該番地がスライドグラス位置管理台帳マスタ８６に登録される（Ｓ２−１参照）。なお、最初のスライドグラス９０の番地は「１」となっている（Ｓ１−１参照）。
【０１２６】
次に、当該番地にスライドグラス９０が載置されていた場合には、水平方向移動部１０に取り付けられた読取センサ７８（図６参照）によって、当該スライドグラス９０の各々に貼り付けられた二次元バーコードが読み取られ、読み取られた情報がスライドグラス位置管理台帳マスタ８６に当該番地と紐づけて登録される（Ｓ２−２参照）。
【０１２７】
次に、当該情報に含まれる「検査法コード」に基づいて検査手順データベース８１が調べられ、該当する検査法の操作手順と必要な試薬に関する情報が取得され、スライドグラス位置管理台帳マスタ８６に当該番地と紐づけて保存される（Ｓ２−３参照）。
【０１２８】
次に、スライドグラス９０の番地が当該レーン６で保持されうるスライドグラス９０の数（本実施の形態では「１２」）となっているかが判断される（Ｓ３参照）。そして、スライドグラス９０の番地が当該レーン６で保持されうるスライドグラス９０の数となっていない場合には、スライドグラス９０の番地に「１」が加算され、水平方向移動部１０が当該レーン６上の次の番地に移動して、上述した工程Ｓ２−１〜Ｓ２−３が順次行われる。
【０１２９】
他方、スライドグラス９０の番地が当該レーン６で保持されうるスライドグラス９０の数となっている場合には、水平方向移動部１０に取り付けられた超音波センサ７７と読取センサ７８によって試薬容器スタンド４が順次調べられ、利用予定の試薬容器９１の有無が検知される。そして、利用予定の試薬容器９１が試薬容器スタンド４にある場合には当該試薬容器９１の蓋の開閉状態が調べられ、試薬容器９１の蓋が開いている場合には当該試薬容器９１内の試薬残量が計測される（Ｓ４参照）。他方、利用予定の試薬容器９１の蓋が閉まっている場合や利用予定の試薬の残量が不足している場合には、操作監視用装置４０の表示部４２でエラーが報知される。
【０１３０】
次に、当該レーン６上に位置する全てのスライドグラス９０に対する全ての処理を、水平方向移動部１０による一連の実行手順として再構成し、これをもとに統合工程シークェンスを生成し、工程シークェンス台帳マスタ８７に保存する（Ｓ５参照）。なおこの際、上述したように、当該レーン６上の保持部７で保持されたスライドグラス９０上の検体に対して同じ属性の個別工程シークェンスが行われるように、操作監視用装置４０がスライドグラス位置管理台帳マスタ８６に保存された情報をもとにオペレータを誘導することとなる。ちなみに、当該レーン６から保持部７の除去を検知した時点で、そのレーン６の統合工程シークェンスは台帳マスタから破棄される。
【０１３１】
《自動組織染色方法及び効果》
次に、上述した構成からなる自動組織染色装置１００を用いた自動組織染色方法と、これら自動組織染色装置１００及び自動組織染色方法によって達成される効果であって、まだ述べていない効果又はとりわけ重要な効果について説明する。
【０１３２】
本実施の形態の自動組織染色装置１００において、あるレーン６上の保持部７で保持されたスライドグラス９０上の検体（すなわち第一検体）に対して、有機溶媒ノズル７５ｂから有機溶媒を供給したり、バッファ液ノズル７５ａからバッファ液を供給したり、ブローノズル７５ｃ，７５ｄから気体を吹き付けたりするのに先立ち、制御部５０−５５が水平方向移動部１０の占有状態を判断する。この際、水平方向移動部１０が占有されている場合には、第一検体に対する処理を保留する。なお、このような判断は、例えば１／１００秒毎に行われる。
【０１３３】
また、本実施の形態では、演算部４４が温度測定部２１で検体が所定の温度に達したと判断した時点から時間カウントを開始し時間の積算を行い、かつ、リアルタイムで水平方向移動部１０の占有状態が判断されることから、より正確な反応時間（処理時間）を確保することができる。この点について説明する。本実施の形態では、演算部４４が、温度測定部２１で検体が所定の温度に達したと判断した時点から時間カウントを開始し時間の積算を行う。この点、様々な理由から加熱部２０の昇温速度や降温速度が異なることがあるが、本実施の形態では、上述のように演算部４４が温度測定部２１で検体が所定の温度に達したと判断した時点から時間カウントを開始して時間の積算を行うことから、所定の温度に達した後から確実に反応時間等を積算することができる。
【０１３４】
他方、このように所定の温度に達してから時間の積算を開始すると、水平方向移動部１０の占有状態が、標準的な処理時間を用いて仮に算出した予定からずれてしまうことがある。この点、従来のように予め定まったスケジュールどおりに水平方向移動部１０が利用される態様では、所定の温度に達してから所定の時間が経過していないにも関わらず、又は、所定の温度に達してから所定の時間を超過しているにも関わらず、予め定まったスケジュールどおりに処理が行われることとなる。この結果、特許文献１に開示された手法のような従来の態様では、正確な処理時間で処理を進めることが難しかった。他方、本実施の形態では、予め定まったスケジュールどおりに水平方向移動部１０を利用する処理を行うのではなく、温度測定部２１で測定される実際の温度に基づいて水平方向移動部１０を利用する処理を行う。そして、本実施の形態においては、水平方向移動部の利用予定がスケジュールとして定められていないことから、第一検体に対して供給ヘッド１１から処理流体を供給するのに先立ち、制御部５０−５５が、例えば１／１００秒毎に水平方向移動部１０の占有状態を判断し、水平方向移動部１０がその段階で占有されているときには、第一検体に対する処理の開始を保留し、水平方向移動部１０が占有されていない場合に、第一検体に対する処理を許可する。したがって、水平方向移動部１０の利用状況をリアルタイムで把握しつつ、極力、正確な処理時間で処理を進めることができる。
【０１３５】
また、本実施の形態では、第一検体に対して供給ヘッド１１から処理流体を供給するのに先立ち水平方向移動部１０の現在の占有状態を判断した結果、水平方向移動部１０が現段階で占有されていない場合であっても、第一検体に対する処理での水平方向移動部１０の利用予定と、上述した「あるレーン」以外の他の２つのレーン６上の第二検体（例えば「反応停止予定第二検体」）に対する処理での水平方向移動部１０の利用予定とを比較し、第一検体に対する処理で水平方向移動部１０を利用する時間と、第二検体に対する処理で水平方向移動部１０を利用する時間とが重複するかを判断する。より具体的には、統合工程シークェンスにおける現時点以降の処理予定を相互に比較することで、あるレーン６に位置する複数の第一検体に対する処理での水平方向移動部１０の利用予定と、他のレーン６に位置する複数の第二検体に対する処理での水平方向移動部１０の利用予定とが比較されることとなる。
【０１３６】
なお、本実施の形態では３つのレーンがあることから、第二検体に対する処理で水平方向移動部１０を利用する予定の時間は、あるレーン６（例えば図２の右側のレーン６）以外の他のレーン６のうちの一つ（例えば図２の真ん中のレーン６）に位置する複数の検体に対する統合工程シークェンスと、あるレーン６以外の他のレーン６のうちの残りの一つ（例えば図２の左側のレーン６）に位置する複数の検体に対する統合工程シークェンスの両方を用いて計算されることとなる。
【０１３７】
第一検体に対する処理を開始できる場合であって、第二検体に対する処理を開始できず、かつ、統合工程シークェンスにおける現時点以降の処理予定を相互に比較することで、あるレーン６に位置する複数の第一検体に対する処理を開始した場合の水平方向移動部１０の利用予定と、他のレーン６に位置する複数の第二検体に対する処理での水平方向移動部１０の利用予定とを比較した結果、あるレーン６に位置する複数の第一検体に対する処理を開始した場合の水平方向移動部１０の利用予定と、他のレーン６に位置する複数の第二検体に対する処理での水平方向移動部１０の利用予定とが重複しない場合には、あるレーン６に位置する複数の第一検体に対する処理が許可される。
【０１３８】
他方、第一検体に対する処理を開始できる場合であって、（１）第二検体に対する処理を開始できるとき、又は、（２）第二検体に対する処理を開始できず、かつ、統合工程シークェンスにおける現時点以降の処理予定を相互に比較することで、あるレーン６に位置する複数の第一検体に対する処理を開始した場合の水平方向移動部１０の利用予定と、他のレーン６に位置する複数の第二検体に対する処理での水平方向移動部１０の利用予定とを比較した結果、あるレーン６に位置する複数の第一検体に対する処理を開始した場合の水平方向移動部１０の利用予定（水平方向移動部１０を利用する時間）と、他のレーン６に位置する複数の第二検体に対する処理での水平方向移動部１０の利用予定（水平方向移動部１０を利用する時間）とが重複するときには、あるレーン６に位置しこのように処理予定が重複する複数の第一検体に対する処理予定の内容が、他のレーン６に位置しこのように処理予定が重複する複数の第二検体に対する処理予定の内容よりも優先されるかどうかが、制御部５０−５５で判断される。
【０１３９】
そして、あるレーン６に位置し処理予定が重複する複数の第一検体に対する処理予定の内容が他のレーン６に位置し処理予定が重複する複数の第二検体に対する処理予定の内容よりも優先されるときには、第一検体に対する水平方向移動部１０を利用する直近の処理の開始が許可されて当該直近の処理を開始する。他方、他のレーン６に位置し処理予定が重複する複数の第二検体に対する処理予定の内容があるレーン６に位置し処理予定が重複する複数の第一検体に対する処理予定の内容よりも優先されるときには、第一検体に対する水平方向移動部１０を利用する直近の処理の開始を保留する。
【０１４０】
優先順位の決定方法については既に述べたとおりであるが、この優先順位を採用することによって得られる効果について説明する。
【０１４１】
本実施の形態では、第一検体に対する処理予定の内容が当該第一検体に対する「反応を停止」させる処理の場合であって第二検体に対する処理予定の内容が当該第二検体に対する「反応を停止」させる処理以外の処理である場合には、第一検体に対する処理予定の内容が第二検体に対する処理予定の内容よりも優先される。このため、反応停止処理を優先して実行することができ、過剰な時間、反応が進んで検査精度が落ちることを防止することができる。
【０１４２】
また、本実施の形態では、第一検体及び第二検体に対する処理予定の内容がこれら第一検体及び第二検体に対する反応を停止させる処理以外の処理の場合であって、第一検体に対して水平方向移動部１０を利用して行おうとしている直近の処理が保留された時間が第二検体に対して水平方向移動部１０を利用して行おうとしている直近の処理が保留された時間よりも長い場合には、第一検体に対する（直近の）処理予定の内容が第二検体に対する（直近の）処理予定の内容よりも優先される。このため、長時間にわたり第一検体に対する処理が保留され続けることを防止することができる。
【０１４３】
また、本実施の形態では、第一検体に対する処理予定の内容が当該第一検体に対する反応を停止させる処理の場合であって第二検体に対する処理予定の内容も当該第二検体に対する反応を停止させる処理の場合には、第一検体に対する処理予定の内容が当該第一検体中の抗原に対する「一次抗体の反応を停止」させる処理であり第二検体に対する処理予定の内容が当該第二検体中の抗原に対する「一次抗体の反応を停止」させる処理以外の処理であるときに、第一検体に対する処理予定の内容が第二検体に対する処理予定の内容よりも優先される。このため、一次抗体の反応を停止させる処理を優先して実行することができ、反応時間の長さに特に敏感な一次抗体の反応が過剰に行われて検査精度が落ちることを防止することができる。
【０１４４】
また、本実施の形態では、第一検体に対する処理予定の内容が当該第一検体に対する反応を停止させる処理の場合であって第二検体に対する処理予定の内容も当該第二検体に対する反応を停止させる処理の場合には、停止対象となっている第一検体に対する「反応時間」が停止対象となっている第二検体に対する「反応時間」よりも短いときに、第一検体に対する処理予定の内容が第二検体に対する処理予定の内容よりも優先される。検出システムや染色プログラムにて指定されている反応時間が短い場合には、反応が延長されると、反応時間を延長したことによる影響が大きくなる傾向にあるが、本実施の形態では、元々の反応時間の短いものについての反応が極力過剰に行われないようにすることができ、ひいては、検査精度が落ちることを防止することができる。
【０１４５】
ところで、図７に示すように、本実施の形態では、複数の貯留部７０ａ−７０ｇの各々から延びた案内管７１ａ−７１ｇの吐出側端部に逆止弁７４ａ−７４ｇが設けられている。そして、異なるバッファ液や有機溶媒が混合されるのは案内管７１ａ−７１ｇの吐出側端部から各給液ノズル７５ａ，７５ｂの吐出口までの領域に限ることができる。したがって、上述した「予備吐出」の量を少なくすることができ、その結果、「予備吐出」に要する時間を大幅に短縮することができる。このため、水平方向移動部１０の占有状態が当初予定していたスケジュールからずれてしまうことを極力抑えることができる。
【０１４６】
なお、上述したような自動組織染色装置を用いた自動組織染色方法のフローの一例を図示した場合には、図１３に示すようになる。
【０１４７】
まず、あるレーンＸの進行が制御部５０−５５でチェックされる（Ｓ１１参照）。このレーンＸで次の処理を開始できるかを制御部５０−５５が判断する（Ｓ１２参照）。本実施の形態では、例えば３つのレーン６の各々に関して、夫々順番に図１３のＳ１１以降の工程を行い、いずれかのレーン６で処理が開始できると判断されれば、すなわち図１３のＳ１６でＹＥＳとなると、それ以外のレーン６に関するチェック（Ｓ１１）を停止する。他方、チェックしたレーン６で処理を保留する判断がされた場合（Ｓ２１又はＳ２２）、いずれかのレーン６で処理が開始できると判断されない限り、他のレーン６に関して図１３のＳ１１以降の工程を行い続ける。
【０１４８】
そして、このレーンＸでの反応等が終了しておらず、水平方向移動部１０を利用する次の処理を開始できない場合には、（レーンＸでの処理や反応が開始されていないときにのみ）演算部４４がレーンＸの待ち回数（待ち時間）を積算し、制御部５０−５５がレーンＸでの処理を保留する（Ｓ２２参照）。他方、レーンＸでの反応等が終了しており、水平方向移動部１０を利用する次の処理を開始できる場合には、水平方向移動部１０が当該時点で占有されているかを制御部５０−５５が確認する（Ｓ１３参照）。なお、レーン６のいずれかで処理が行われていれば、水平方向移動部１０は占有されているとみなされて、全てのレーン６で処理の開始を保留することになるので、Ｓ１３をＳ１１の次の工程とし、これがＹＥＳの場合にＳ１２の工程に移るように、図１３のフローを組み替えてもよい。
【０１４９】
水平方向移動部１０が当該時点で占有されている場合には、演算部４４がレーンＸの待ち回数（待ち時間）を積算し、制御部５０−５５がレーンＸでの処理を保留する（Ｓ２１参照）。他方、水平方向移動部１０が当該時点で占有されていない場合には、制御部５０−５５が、他のレーンＹ及びレーンＺの中に次の処理を開始できるものがあるか、又は、レーンＸで水平方向移動部１０を利用する次の処理を開始した後の占有時間中に、他の２つのレーンＹ又はレーンＺにおける反応停止を予定している第二検体に対して（処理工程の停止や継ぎ足しによる）水平方向移動部１０の利用する予定があるかを確認する（Ｓ１５参照）。
【０１５０】
そして、制御部５０−５５が、他のレーンＹ及びレーンＺの中に次の処理を開始できるものがなく、かつ、レーンＸで水平方向移動部１０を利用する次の処理を開始した後の占有時間中に、他の２つのレーンＹ又はレーンＺにおける第二検体（例えば「反応停止予定第二検体」）に対して（処理工程の停止や継ぎ足しによる）水平方向移動部１０の利用する予定がない場合には、レーンＸ上の検体に対して水平方向移動部１０を利用する次の処理が開始される（Ｓ２０参照）。他方、制御部５０−５５が、レーンＸで水平方向移動部１０を利用する次の処理を開始した後の占有時間中に、他のレーンＹ及びレーンＺの中に次の処理を開始できるものがあるか、又は、レーンＸで水平方向移動部１０を利用する次の処理を開始した後の占有時間中に、他の２つのレーンＹ又はレーンＺにおける第二検体に対して（処理工程の停止や継ぎ足しによる）水平方向移動部１０の利用する予定があると判断した場合には、レーンＸで水平方向移動部１０を利用する処理が、レーンＹで水平方向移動部１０を利用する処理及びレーンＺで水平方向移動部１０を利用する処理に優先するかが、制御部５０−５５で判断される（Ｓ１６参照）。
【０１５１】
そして、レーンＸで水平方向移動部１０を利用する処理が、レーンＹで水平方向移動部１０を利用する処理及びレーンＺで水平方向移動部１０を利用する処理に優先すると、制御部５０−５５が判断した場合には、レーンＸ上の検体に対して水平方向移動部１０を利用する次の処理が開始される（Ｓ２０参照）。他方、レーンＸで水平方向移動部１０を利用する処理が、レーンＹで水平方向移動部１０を利用する処理及びレーンＺで水平方向移動部１０を利用する処理に優先しないと、制御部５０−５５が判断した場合には、演算部４４がレーンＸの待ち回数（待ち時間）を積算し、制御部５０−５５がレーンＸでの処理を保留する（Ｓ２１参照）。
【０１５２】
なお、この優先順位については、既に説明したとおりである。
【０１５３】
全てのレーン６について処理を保留する結果（Ｓ２１又はＳ２２）となった場合には、いずれのレーン６についても次の処理を開始しない結果となる。これは、例えばあるレーン６で処理が行われているときは水平方向移動部１０が占有されることとなるので、図１３に示したフローにしたがえば当該あるレーン６が図１３のＳ２２の状態にあり、他のレーン６は全て図１３のＳ２１の状態にあることとなる場合も含んでいる。
【０１５４】
このように次の処理を開始しない結果となった場合も、また、いずれかのレーン６で次の処理を開始する結果となった場合も、例えば、図１３のフローの開始時点から例えば１／１００秒後に、図１３のフローを上述したのと同様に行い、以降においてもこれを繰り返す。このように短い周期でチェックを行い、次の処理を開始するレーン６を決定する（または、どのレーン６でも次の処理を開始しないことを決定する）ことで、水平方向移動部１０の占有の終了をほぼリアルタイムに検知して、その時点において最も適切なレーン６の処理を開始することができる。このため、標準的な時間より仮に算出した予定からズレが生じた場合においても、各レーン６内の各検体に対して、予め指定した検査法に基づき適切に処理を進めることができる。
【０１５５】
そして、いずれかのレーン６で開始された処理が終わるまでは、図１３のＳ１３において全てのレーン６についてＹＥＳと判断され、他の処理の開始が保留されるので、このように処理が開始されたレーン６について、統合工程シークェンスの作成の際にある程度まとめられた工程について再構成された当該レーン６上に位置する全てのスライドグラス９０に対する水平方向移動部１０による一連の実行手順を、中断することなく一気に行うことができる。
【０１５６】
なお、上述の例では、複数のスライドグラス９０上の各検体に対して行われる複数の処理工程を含む個別工程シークェンスを相互に比較し、複数の前記検体に対して同じ内容の処理工程を連続して行うようにして作成された統合工程シークェンスに基づいて複数の前記検体に対する処理工程を制御する制御部５０−５５を備える自動組織染色装置１００に関して説明したが、複数の前記検体に対して統合工程シークェンスを必ずしも完全には作成しなくてもよい。つまり自動組織染色装置１００は、現時点以降の特定の範囲の処理工程に限定して複数の前記検体の前記個別工程シークェンス（それぞれの検体に対して行われる複数の処理工程を含む個別工程シークェンス）を相互に比較し、複数の前記検体に対して同じ内容の処理工程を連続して行うように制御する制御部５０−５５を備えるものであってもよい。
【０１５７】
その場合、自動組織染色装置１００は、例えば以下のような制御部５０−５５を備えていてもよい。すなわち、一つ以上のスライドグラス９０が第一領域に位置し、一つ以上のスライドグラス９０が第一領域と異なる第二領域に位置し、制御部５０−５５は、第一領域に位置する一つ以上のスライドグラス９０上の第一検体に対する処理での水平方向移動部１０の利用予定と、第二領域に位置する一つ以上のスライドグラス９０上の第二検体に対する処理での水平方向移動部１０の利用予定とを比較し、第一検体に対する処理で水平方向移動部１０を利用する時間と、第二検体に対する処理で水平方向移動部１０を利用する時間とが重複するかを判断し、第一検体に対する処理で水平方向移動部１０を利用する時間と第二検体に対する処理で水平方向移動部１０を利用する時間とが重複する場合には、重複する時間に行われる第一検体に対する処理予定の内容と第二検体に対する処理予定の内容とを比較し、第一検体に対する処理予定の内容が第二検体に対する処理予定の内容よりも優先されるときには第一検体に対する水平方向移動部１０を利用する直近の処理の開始を許可し、第二検体に対する処理予定の内容が第一検体に対する処理予定の内容よりも優先されるときには第一検体に対する水平方向移動部１０を利用する直近の処理の開始を保留するよう制御を行ってもよい。
【０１５８】
またその場合、自動組織染色装置１００は、例えば以下のような制御部５０−５５を備えていてもよい。すなわち制御部５０−５５は、第二領域に位置する一つ以上のスライドグラス９０上の第二検体に対する直近の処理を開始できるかを判断し、第二検体に対する直近の処理を開始できるときには、第一領域に位置する一つ以上のスライドグラス９０上の第一検体に対する処理予定の内容と第二検体に対する処理予定の内容とを比較し、第一検体に対する処理予定の内容が第二検体に対する処理予定の内容よりも優先されるときには第一検体に対する水平方向移動部１０を利用する直近の処理の開始を許可し、第二検体に対する処理予定の内容が第一検体に対する処理予定の内容よりも優先されるときには第一検体に対する水平方向移動部１０を利用する直近の処理の開始を保留するよう制御を行ってもよい。
【０１５９】
なお上述の各構成及び各機能は、任意のハードウェア、ソフトウェア、或いは両者の組み合わせによって適宜実現可能である。また、例えば上述の処理ステップ（処理手順）をコンピュータに実行させるプログラム、そのようなプログラムを記録したコンピュータ読み取り可能な記録媒体（非一時的記録媒体）、或いはそのようなプログラムをインストール可能なコンピュータ等の装置に対しても本発明を適用することが可能である。  
【０１６０】
最後になったが、上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１６１】
６          レーン
７          保持部
１０        水平方向移動部
１１        供給ヘッド
２０        加熱部
２１        温度測定部
４１        演算部（積算部）
９０        スライドグラス
７０ａ−７０ｇ  貯留部
７１ａ−７１ｇ  案内管
７２ａ−７２ｇ  送液部
７４ａ−７４ｇ  逆止弁
７５ａ−７５ｄ  ノズル
１００      自動組織染色装置
【図１】
2020106539.tif 000003
【図２】
2020106539.tif 000004
【図３】
2020106539.tif 000005
【図４】
2020106539.tif 000006
【図５】
2020106539.tif 000007
【図６】
2020106539.tif 000008
【図７】
2020106539.tif 000009
【図８】
2020106539.tif 000010
【図９Ａ】
2020106539.tif 000011
【図９Ｂ】
2020106539.tif 000012
【図１０Ａ】
2020106539.tif 000013
【図１０Ｂ】
2020106539.tif 000014
【図１０Ｃ】
2020106539.tif 000015
【図１０Ｄ】
2020106539.tif 000016
【図１１】
2020106539.tif 000017
【図１２】
2020106539.tif 000018
【図１３】
2020106539.tif 000019
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
処理流体を供給する供給ヘッドと、
前記供給ヘッドを水平方向で移動させる水平方向移動部と、
検体が載置された複数のスライドグラスを保持する保持部と、
一つ以上の前記スライドグラスが第一領域に位置し、前記第一領域に位置する前記一つ以上のスライドグラス上の前記検体に対して前記供給ヘッドから前記処理流体を供給するのに先立ち、前記水平方向移動部の占有状態を判断し、前記水平方向移動部が占有されている場合には、前記第一領域に位置する前記一つ以上のスライドグラス上の前記検体に対する直近の処理の開始を保留し、前記水平方向移動部が占有されていない場合には、前記第一領域に位置する前記一つ以上のスライドグラス上の前記検体に対する直近の処理の開始を許可する制御部と、
を備えたことを特徴とする自動組織染色装置。
【請求項２】
前記複数のスライドグラス上の前記検体を加熱するための加熱部と、
前記加熱部によって加熱された前記検体の温度を測定するための温度測定部と、
前記温度測定部による測定結果に基づいて、前記検体の温度が所定の温度に達したことを判断し、カウントを開始して積算する積算部と、をさらに備え、
前記処理流体は処理液を含み、
前記積算部は、前記処理液を前記複数のスライドグラス上の前記検体に対して継ぎ足す際に前記カウントを停止し、前記処理液を継ぎ足した後であって前記所定の温度となった際に前記カウントを再開することを特徴とする請求項１に記載の自動組織染色装置。
【請求項３】
一つ以上の前記スライドグラスが前記第一領域と異なる第二領域に位置し、
前記制御部は、
前記第一領域に位置する前記一つ以上のスライドグラス上の第一検体に対する処理を開始した場合の前記水平方向移動部の利用予定と、前記第二領域に位置する前記一つ以上のスライドグラス上の第二検体に対する処理での前記水平方向移動部の利用予定とを比較し、前記第一検体に対する処理を開始した場合に前記水平方向移動部を利用する時間と、前記第二検体に対する処理で前記水平方向移動部を利用する時間とが重複するかを判断し、
前記第一検体に対する処理を開始した場合の前記水平方向移動部を利用する時間と前記第二検体に対する処理で前記水平方向移動部を利用する時間とが重複する場合には、重複する時間に行われる前記第一検体に対する処理予定の内容と前記第二検体に対する処理予定の内容とを比較し、前記第一検体に対する処理予定の内容が前記第二検体に対する処理予定の内容よりも優先されるときには前記第一検体に対する前記水平方向移動部を利用する直近の処理の開始を許可し、前記第二検体に対する処理予定の内容が前記第一検体に対する処理予定の内容よりも優先されるときには前記第一検体に対する前記水平方向移動部を利用する直近の処理の開始を保留することを特徴とする請求項１又は２に記載の自動組織染色装置。
【請求項４】
一つ以上の前記スライドグラスが前記第一領域と異なる第二領域に位置し、
前記制御部は、前記第二領域に位置する前記一つ以上のスライドグラス上の第二検体に対する直近の処理を開始できるかを判断し、前記第二検体に対する直近の処理を開始できるときには、前記第一領域に位置する前記一つ以上のスライドグラス上の第一検体に対する直近の処理予定の内容と前記第二検体に対する直近の処理予定の内容とを比較し、前記第一検体に対する直近の処理予定の内容が前記第二検体に対する直近の処理予定の内容よりも優先されるときには前記第一検体に対する前記水平方向移動部を利用する直近の処理の開始を許可し、前記第二検体に対する直近の処理予定の内容が前記第一検体に対する直近の処理予定の内容よりも優先されるときには前記第一検体に対する前記水平方向移動部を利用する直近の処理の開始を保留することを特徴とする請求項１乃至３のいずれか１項に記載の自動組織染色装置。
【請求項５】
前記第一検体に対する前記処理予定の内容が当該第一検体に対する反応を停止させる処理の場合であって前記第二検体に対する前記処理予定の内容が当該第二検体に対する反応を停止させる処理以外の処理である場合には、前記第一検体に対する前記処理予定の内容が前記第二検体に対する前記処理予定の内容よりも優先されることを特徴とする請求項３又は４に記載の自動組織染色装置。
【請求項６】
前記第一検体に対する前記処理予定の内容が当該第一検体に対する反応を停止させる処理以外の処理であり、かつ、前記第二検体に対する前記処理予定の内容が当該第二検体に対する反応を停止させる処理以外の処理の場合であって、前記第一検体に対して前記水平方向移動部を利用して行おうとしている直近の処理が保留された時間が前記第二検体に対して前記水平方向移動部を利用して行おうとしている直近の処理が保留された時間よりも長い場合には、前記第一検体に対する前記処理予定の内容が前記第二検体に対する前記処理予定の内容よりも優先されることを特徴とする請求項３乃至５のいずれか１項に記載の自動組織染色装置。
【請求項７】
前記第一検体に対する前記処理予定の内容が当該第一検体に対する反応を停止させる処理の場合であって前記第二検体に対する前記処理予定の内容が当該第二検体に対する反応を停止させる処理の場合には、停止対象となっている前記第一検体に対して指定する反応時間が停止対象となっている前記第二検体に対して指定する反応時間よりも短いときに、前記第一検体に対する前記処理予定の内容が前記第二検体に対する前記処理予定の内容よりも優先されることを特徴とする請求項６に記載の自動組織染色装置。
【請求項８】
前記第一検体及び前記第二検体が染色法として免疫染色法が指定された検体である場合において、前記第一検体に対する前記処理予定の内容が当該第一検体に対する反応を停止させる処理の場合であって前記第二検体に対する前記処理予定の内容が当該第二検体に対する反応を停止させる処理の場合には、前記第一検体に対する前記処理予定の内容が当該第一検体中の抗原に対する一次抗体の反応を停止させる処理であり前記第二検体に対する前記処理予定の内容が当該第二検体中の抗原に対する一次抗体の反応を停止させる処理以外の処理であるときに、前記第一検体に対する前記処理予定の内容が前記第二検体に対する前記処理予定の内容よりも優先されることを特徴とする請求項６又は７に記載の自動組織染色装置。
【請求項９】
前記制御部は、前記第二検体に対する処理を開始できず、かつ、前記第一検体に対する処理予定において前記水平方向移動部を利用する時間と前記第二検体に対する処理予定において前記水平方向移動部を利用する時間とが重複しない場合に、前記第一検体に対する処理を許可することを特徴とする請求項３乃至８のいずれか１項に記載の自動組織染色装置。
【請求項１０】
複数のレーンをさらに備え、
前記複数のレーンと同数の複数の保持部が設けられ、
前記複数のレーンの各々に前記複数の保持部が設けられ、
前記複数のレーンのうちのあるレーンが前記第一領域に対応し、当該第一領域に対応するレーンと異なる他のレーンが前記第二領域に対応することを特徴とする請求項３乃至９のいずれか１項に記載の自動組織染色装置。
【請求項１１】
前記制御部は、複数の領域の各々に作成される統合工程シークェンスであって当該複数の領域の各々での複数の検体に対する一連の処理工程を含む統合工程シークェンスにおける現時点以降の処理予定を相互に比較することで、前記複数の領域のうちのある領域に位置する複数の第一検体に対する処理を開始した場合の前記水平方向移動部の利用予定と、他の領域に位置する複数の第二検体に対する処理での前記水平方向移動部の利用予定とを比較し、前記複数の第一検体に対する処理を開始した場合の前記水平方向移動部を利用する時間と、前記複数の第二検体に対する処理で前記水平方向移動部を利用する時間とが重複するかを判断することを特徴とする請求項３乃至１０のいずれか１項に記載の自動組織染色装置。
【請求項１２】
前記統合工程シークェンスは、前記複数の領域の各々において、前記複数の検体の各々に対して行われる複数の処理工程を含む個別工程シークェンスを相互に比較し、当該複数の領域の各々の複数の前記検体に対して同じ内容の処理工程を連続して行うようにして作成されることを特徴とする請求項１１に記載の自動組織染色装置。
【請求項１３】
前記統合工程シークェンスは、連続して行われる前記同じ内容の処理工程において、各検体に対して供給される前記処理流体に含まれる処理液の内容を比較し、同じ処理液を利用する検体に連続的に前記処理液を供給するようにして作成されることを特徴とする請求項１２に記載の自動組織染色装置。
【請求項１４】
前記統合工程シークェンスは、連続して行われる前記同じ内容の処理工程において、反応時間の短い検体と比較して、反応時間の長い検体に対して先に前記処理流体に含まれる処理液を供給するようにして作成されることを特徴とする請求項１２又は１３のいずれかに記載の自動組織染色装置。
【請求項１５】
前記複数のスライドグラス上の前記検体を加熱するための加熱部と、
前記加熱部によって加熱された前記検体の温度を測定するための温度測定部と、をさらに備え、
前記統合工程シークェンスは、連続して行われる前記同じ内容の処理工程において、反応温度が低い検体と比較して、反応温度が高い検体に対して先に前記処理流体に含まれる処理液を供給するようにして作成されることを特徴とする請求項１２乃至１４のいずれか１項に記載の自動組織染色装置。
【請求項１６】
処理流体を供給する供給ヘッドと、
検体が載置された複数のスライドグラスを保持する保持部と、
前記複数のスライドグラス上の各検体に対して行われる検査法の属性を相互に比較して各検体に対して行われる検査法が相互に同じ属性に属するか否かを判断し、ある検体に対して行われる検査法と別の検体に対して行われる検査法の属性が異なる場合には、前記保持部で保持された前記複数のスライドグラス上の検体に対して同じ属性の検査法が行われるように、前記保持部から取り除かれるべき一つ以上のスライドグラスを特定する制御部と、
前記制御部で取り除かれるべきであると特定された前記一つ以上のスライドグラスを報知する報知部と、
を備えたことを特徴とする自動組織染色装置。